(57)【要約】  第１の側面に係る基地局は、無線端末のページングに用いるページングメッセージをモビリティ管理装置から受信する処理を行う制御部を備える。前記ページングメッセージは、アイドルモード非拡張ＤＲＸ用の第１のフィールドと、アイドルモード拡張ＤＲＸ用の第２のフィールドと、を含む。前記制御部は、前記アイドルモード拡張ＤＲＸのＤＲＸサイクルを示す情報が前記第２のフィールドに含まれている場合、前記無線端末に前記アイドルモード拡張ＤＲＸが設定されていると判断する。
2017026188.tif 000002
【特許請求の範囲】
【請求項１】
無線端末のページングに用いるページングメッセージをモビリティ管理装置から受信する処理を行う制御部を備え、
前記ページングメッセージは、アイドルモード非拡張ＤＲＸ用の第１のフィールドと、アイドルモード拡張ＤＲＸ用の第２のフィールドと、を含み、
前記制御部は、前記アイドルモード拡張ＤＲＸのＤＲＸサイクルを示す情報が前記第２のフィールドに含まれている場合、前記無線端末に前記アイドルモード拡張ＤＲＸが設定されていると判断する
基地局。
【請求項２】
前記第２のフィールドは、前記ページングを繰り返し送信する期間であるページング時間ウィンドウを示す情報を含み、
前記制御部は、前記ページング時間ウィンドウに基づいて前記ページングを繰り返し送信する
請求項１に記載の基地局。
【請求項３】
無線端末のページングに用いるページングメッセージを基地局に送信する処理を行う制御部を備え、
前記ページングメッセージは、アイドルモード非拡張ＤＲＸ用の第１のフィールドと、アイドルモード拡張ＤＲＸ用の第２のフィールドと、を含み、
前記制御部は、前記無線端末に前記アイドルモード拡張ＤＲＸが設定されている場合、前記アイドルモード拡張ＤＲＸのＤＲＸサイクルを示す情報を前記第２のフィールドに含める
モビリティ管理装置。
【請求項４】
無線端末にアイドルモード拡張ＤＲＸ（Ｄｉｓｃｏｎｔｉｎｕｏｕｓ  Ｒｅｃｅｐｔｉｏｎ）が設定されている場合、前記無線端末の２以上のページング受信機会においてページングの繰り返し送信を行う制御部を備え、
前記２以上のページング受信機会は、前記アイドルモード拡張ＤＲＸにおけるウェイクアップタイミングに対応する特定のページング受信機会と、前記特定のページング受信機会の次のページング受信機会と、を含む
基地局。
【請求項５】
自無線端末にアイドルモード拡張ＤＲＸが設定された後、基地局からシステム情報ブロックを受信する処理を行う制御部を備え、
前記アイドルモード拡張ＤＲＸに対応している場合、前記システム情報ブロックは、前記基地局が前記アイドルモード拡張ＤＲＸに対応していることを示す情報を含み、
前記制御部は、前記基地局が前記アイドルモード拡張ＤＲＸに対応していない場合、前記アイドルモード拡張ＤＲＸの動作を中止するための処理を行う
無線端末。
【請求項６】
自無線端末のページングオケージョンを含む無線フレームであるページングフレームを決定し、前記ページングフレームの中から所定のサブフレームを前記ページングオケージョンとして決定する無線端末であって、
それぞれ所定数の無線フレームを含む複数のハイパーフレームの中から、前記ページングフレームを含むハイパーフレームであるページングハイパーフレームを決定する制御部を備え、
前記制御部は、前記ページングフレームの決定に用いる第１の計算式及び前記ページングオケージョンの決定に用いる第２の計算式とは別に規定された第３の計算式を用いて、前記ページングハイパーフレームを決定する
無線端末。
【請求項７】
前記第１の計算式及び前記第２の計算式には、基地局からシステム情報により提供されるＤＲＸパラメータが適用され、
前記第３の計算式には、前記ＤＲＸパラメータが適用されずに、前記ＤＲＸパラメータとは異なる所定のパラメータが適用される
請求項６に記載の無線端末。
【請求項８】
前記所定のパラメータは、コアネットワーク装置から提供される拡張ＤＲＸサイクルを含む
請求項７に記載の無線端末。
【請求項９】
前記ページングハイパーフレームのハイパーフレーム番号を「Ｈ−ＳＦＮ」で示し、前記拡張ＤＲＸサイクルに相当するハイパーフレーム数を「ＴeDRX」で示し、自無線端末に固有の値に基づく値を「α」で示す場合、前記第３の計算式は、
H-SFN mod TeDRX= α mod TeDRX
である請求項８に記載の無線端末。
【請求項１０】
前記固有の値は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である
請求項９に記載の無線端末。
【請求項１１】
無線端末のページングオケージョンを含む無線フレームであるページングフレームを決定し、前記ページングフレームの中から所定のサブフレームを前記ページングオケージョンとして決定するネットワーク装置であって、
それぞれ所定数の無線フレームを含む複数のハイパーフレームの中から、前記ページングフレームを含むハイパーフレームであるページングハイパーフレームを決定する制御部を備え、
前記制御部は、前記ページングフレームの決定に用いる第１の計算式及び前記ページングオケージョンの決定に用いる第２の計算式とは別に規定された第３の計算式を用いて、前記ページングハイパーフレームを決定するネットワーク装置。
【発明の詳細な説明】
【技術分野】
【０００１】
本発明は、移動通信システムにおける基地局、モビリティ管理装置、無線端末、及びネットワーク装置に関する。
【背景技術】
【０００２】
移動通信システムにおいて、無線端末の消費電力を削減するための間欠受信技術として、非連続受信（ＤＲＸ：Ｄｉｓｃｏｎｔｉｎｕｏｕｓ  Ｒｅｃｅｐｔｉｏｎ）が用いられる。【０００３】
アイドルモードの無線端末は、所定の時間間隔（ＤＲＸサイクル）で発生するページング受信機会（Ｐａｇｉｎｇ  Ｏｃｃａｓｉｏｎ）においてページングを監視するＤＲＸ動作を行うことが可能である。ページング受信機会以外は無線端末がスリープ状態となるため、無線端末の消費電力が削減される。【０００４】
近年、移動通信システムにおいて人が介在することなく無線端末が通信を行うマシンタイプコミュニケーション（ＭＴＣ）が注目されている。このような背景から、既存のＤＲＸサイクルよりも長い拡張ＤＲＸ（ｅＤＲＸ）サイクルを新たに導入し、無線端末の更なる消費電力の削減を図ることが検討されている。
【発明の概要】
【０００５】
第１の側面に係る基地局は、無線端末のページングに用いるページングメッセージをモビリティ管理装置から受信する処理を行う制御部を備える。前記ページングメッセージは、アイドルモード非拡張ＤＲＸ用の第１のフィールドと、アイドルモード拡張ＤＲＸ用の第２のフィールドと、を含む。前記制御部は、前記アイドルモード拡張ＤＲＸのＤＲＸサイクルを示す情報が前記第２のフィールドに含まれている場合、前記無線端末に前記アイドルモード拡張ＤＲＸが設定されていると判断する。
【０００６】
第２の側面に係るモビリティ管理装置は、無線端末のページングに用いるページングメッセージを基地局に送信する処理を行う制御部を備える。前記ページングメッセージは、アイドルモード非拡張ＤＲＸ用の第１のフィールドと、アイドルモード拡張ＤＲＸ用の第２のフィールドと、を含む。前記制御部は、前記無線端末に前記アイドルモード拡張ＤＲＸが設定されている場合、前記アイドルモード拡張ＤＲＸのＤＲＸサイクルを示す情報を前記第２のフィールドに含める。
【０００７】
第３の側面に係る基地局は、無線端末にアイドルモード拡張ＤＲＸ（Ｄｉｓｃｏｎｔｉｎｕｏｕｓ  Ｒｅｃｅｐｔｉｏｎ）が設定されている場合、前記無線端末の２以上のページング受信機会においてページングの繰り返し送信を行う制御部を備える。前記２以上のページング受信機会は、前記アイドルモード拡張ＤＲＸにおけるウェイクアップタイミングに対応する特定のページング受信機会と、前記特定のページング受信機会の次のページング受信機会と、を含む。
【０００８】
第４の側面に係る無線端末は、自無線端末にアイドルモード拡張ＤＲＸが設定された後、基地局からシステム情報ブロックを受信する処理を行う制御部を備える。前記アイドルモード拡張ＤＲＸに対応している場合、前記システム情報ブロックは、前記基地局が前記アイドルモード拡張ＤＲＸに対応していることを示す情報を含む。前記制御部は、前記基地局が前記アイドルモード拡張ＤＲＸに対応していない場合、前記アイドルモード拡張ＤＲＸの動作を中止するための処理を行う。
【０００９】
第５の側面に係る無線端末は、自無線端末のページングオケージョンを含む無線フレームであるページングフレームを決定し、前記ページングフレームの中から所定のサブフレームを前記ページングオケージョンとして決定する。前記無線端末は、それぞれ所定数の無線フレームを含む複数のハイパーフレームの中から、前記ページングフレームを含むハイパーフレームであるページングハイパーフレームを決定する制御部を備える。前記制御部は、前記ページングフレームの決定に用いる第１の計算式及び前記ページングオケージョンの決定に用いる第２の計算式とは別に規定された第３の計算式を用いて、前記ページングハイパーフレームを決定する。
【図面の簡単な説明】
【００１０】
【図１】ＬＴＥシステム（移動通信システム）の構成を示す図である。
【図２】ＬＴＥシステムにおける無線インターフェイスのプロトコルスタック図である。
【図３】ＵＥ（無線端末）のブロック図である。
【図４】ｅＮＢ（基地局）のブロック図である。
【図５】ＭＭＥ（コアネットワーク装置）のブロック図である。
【図６】ｅＤＲＸに関するｅＮＢ及びＵＥの動作例を説明するための図である。
【図７】第１実施形態に係る動作パターン１の一例を示す図である。
【図８】第１実施形態に係る動作パターン２の一例を示す図である。
【図９】第１実施形態に係るＵＥの動作の一例を示す図である。
【図１０】第２実施形態に係る動作の一例を示す図である。
【図１１】第２実施形態の変更例を示す図である。
【図１２】第４実施形態に係る動作の一例を示す図である。
【図１３】第４実施形態に係る動作の他の例を示す図である。
【図１４】第５実施形態に係る動作の一例を示す図である。
【図１５】第６実施形態に係るハイパーフレーム、無線フレーム、及びサブフレームの関係を示す図である。
【図１６】第６実施形態に係るページングハイパーフレーム（ＰＨ）、ページングフレーム（ＰＦ）、及びページングオケージョン（ＰＯ）の関係を示す図である。
【図１７】第７実施形態に係るＵＥのブロック図である。
【図１８】第７実施形態に係る動作の一例を示す図である。
【図１９】第８実施形態に係る動作の一例を示す図である。
【発明を実施するための形態】
【００１１】
［実施形態の概要］
第１実施形態に係る無線端末は、コアネットワーク装置から自無線端末にアイドルモード拡張ＤＲＸが設定された後、コネクティッドモードにおいて、自無線端末と基地局との間の接続を解放するための情報を前記基地局に送信する処理を行う制御部を備える。
【００１２】
第１実施形態に係る無線端末において、前記制御部は、前記コネクティッドモードにおいて自無線端末の通信データが存在しないことを確認した場合、前記情報を前記基地局に送信する処理を行ってもよい。
【００１３】
第１実施形態に係るコアネットワーク装置は、自コアネットワーク装置が無線端末にアイドルモード拡張ＤＲＸを設定した後、コネクティッドモードの前記無線端末と基地局との間の接続を解放するための情報を前記基地局に送信する処理を行う制御部を備える。
【００１４】
第１実施形態に係るコアネットワーク装置において、前記制御部は、前記コネクティッドモードの前記無線端末の通信データが存在しないことを確認した場合、前記情報を前記基地局に送信する処理を行ってもよい。
【００１５】
第１実施形態に係る無線端末は、コアネットワーク装置から自無線端末にアイドルモード拡張ＤＲＸが設定された後、自無線端末と基地局との間の接続が解放された場合、前記アイドルモード拡張ＤＲＸを開始する制御部を備える。
【００１６】
第１実施形態に係る無線端末において、前記制御部は、前記コアネットワーク装置から前記アイドルモード拡張ＤＲＸのＤＲＸサイクルのタイマ値が設定された後、前記タイマ値に対応するタイマが前記接続を解放する際に動作中である場合、前記アイドルモード拡張ＤＲＸを開始してもよい。
【００１７】
第２実施形態に係る基地局は、無線端末のページングに用いるページングメッセージをコアネットワーク装置から受信する処理を行う制御部を備える。前記ページングメッセージは、アイドルモード拡張ＤＲＸに関する情報を含む。
【００１８】
第２実施形態に係る基地局において、前記ページングメッセージは、アイドルモード非拡張ＤＲＸ用の第１のフィールドと、前記アイドルモード拡張ＤＲＸ用の第２のフィールドと、を含んでもよい。前記制御部は、前記アイドルモード拡張ＤＲＸのＤＲＸサイクルを示す情報が前記第２のフィールドに含まれている場合、前記無線端末に前記アイドルモード拡張ＤＲＸが設定されていると判断する。
【００１９】
第２実施形態に係る基地局において、前記ページングメッセージは、前記無線端末に設定されているＤＲＸサイクルを示す情報を含んでもよい。前記制御部は、前記情報により示される前記ＤＲＸサイクルが規定時間以上である場合、前記無線端末に前記アイドルモード拡張ＤＲＸが設定されていると判断する。
【００２０】
第２実施形態に係る基地局において、前記ページングメッセージは、前記ページングを行う基準時間を示す時間情報を含んでもよい。前記制御部は、前記時間情報に基づいて前記ページングを行う。
【００２１】
第２実施形態に係る基地局において、前記ページングメッセージは、前記ページングの繰り返し送信回数を示す再送制御情報を含んでもよい。前記制御部は、前記再送制御情報に基づいて前記ページングの繰り返し送信を行う。
【００２２】
第２実施形態に係る基地局において、前記制御部は、自基地局が前記ページングの繰り返し送信を行う能力を有するか否かを示す情報を前記コアネットワーク装置に送信する処理を行ってもよい。
【００２３】
第２実施形態に係るコアネットワーク装置は、無線端末のページングに用いるページングメッセージを基地局に送信する処理を行う制御部を備える。前記ページングメッセージは、アイドルモード拡張ＤＲＸに関する情報を含む。
【００２４】
第２実施形態に係るコアネットワーク装置において、前記制御部は、前記基地局が前記ページングの繰り返し送信を行う能力を有するか否かを示す情報を前記基地局から受信する処理を行ってもよい。
【００２５】
第２実施形態に係るコアネットワーク装置において、前記制御部は、前記基地局が前記ページングの繰り返し送信を行う能力を有しない場合、前記基地局に対して前記ページングメッセージの繰り返し送信を行ってもよい。
【００２６】
第３実施形態に係る無線端末は、アイドルモードにおいて、コアネットワーク装置から提供される第１のパラメータ又は基地局から提供される第２のパラメータに基づいて自無線端末のページング受信機会を決定する制御部を備える。前記制御部は、自無線端末にアイドルモード拡張ＤＲＸが設定されている場合、前記第１のパラメータを無視し、前記第２のパラメータに基づいて前記ページング受信機会を決定する。
【００２７】
第３実施形態に係る基地局は、アイドルモードにおいて、コアネットワーク装置が無線端末に提供する第１のパラメータ又は自基地局が前記無線端末に提供する第２のパラメータに基づいて前記無線端末へのページング送信タイミングを決定する制御部を備える。前記制御部は、前記無線端末にアイドルモード拡張ＤＲＸが設定されている場合、前記第１のパラメータを無視し、前記第２のパラメータに基づいて前記ページング送信タイミングを決定する。
【００２８】
第４実施形態に係る基地局は、無線端末にアイドルモード拡張ＤＲＸが設定されている場合、前記無線端末の２以上のページング受信機会においてページングの繰り返し送信を行う制御部を備える。前記２以上のページング受信機会は、前記アイドルモード拡張ＤＲＸにおけるウェイクアップタイミングに対応する特定のページング受信機会と、前記特定のページング受信機会の次のページング受信機会と、を含む。
【００２９】
第４実施形態に係る基地局において、前記２以上のページング受信機会は、前記特定のページング受信機会の１つ前のページング受信機会をさらに含んでもよい。
【００３０】
第４実施形態に係る無線端末は、自無線端末にアイドルモード拡張ＤＲＸが設定された後、前記アイドルモード拡張ＤＲＸにおけるＤＲＸサイクルごとに基地局がページングの繰り返し送信を行っても、前記ＤＲＸサイクルごとに１つのページング受信機会においてのみ前記ページングを監視する制御部を備える。
【００３１】
第４実施形態に係る無線端末において、前記制御部は、前記１つのページング受信機会において前記ページングを受信しなかった場合、前記アイドルモード拡張ＤＲＸにおけるスリープ状態に遷移する。
【００３２】
第５実施形態に係る無線端末は、自無線端末にアイドルモード拡張ＤＲＸが設定された後、前記アイドルモード拡張ＤＲＸに対応していない基地局を検出した場合、前記アイドルモード拡張ＤＲＸを中止するための処理を行う制御部を備える。
【００３３】
第５実施形態に係る無線端末において、前記処理は、前記アイドルモード拡張ＤＲＸの解除を要求するための情報をコアネットワーク装置に送信する処理を含んでもよい。
【００３４】
第６実施形態に係る無線端末は、自無線端末のページングオケージョンを含む無線フレームであるページングフレームを決定し、前記ページングフレームの中から所定のサブフレームを前記ページングオケージョンとして決定する。前記無線端末は、それぞれ所定数の無線フレームを含む複数のハイパーフレームの中から、前記ページングフレームを含むハイパーフレームであるページングハイパーフレームを決定する制御部を備える。前記制御部は、前記ページングフレームの決定に用いる第１の計算式及び前記ページングオケージョンの決定に用いる第２の計算式とは別に規定された第３の計算式を用いて、前記ページングハイパーフレームを決定する。
【００３５】
第６実施形態に係る無線端末において、前記第１の計算式及び前記第２の計算式には、基地局からシステム情報により提供されるＤＲＸパラメータが適用され、前記第３の計算式には、前記ＤＲＸパラメータが適用されずに、前記ＤＲＸパラメータとは異なる所定のパラメータが適用されてもよい。
【００３６】
第６実施形態に係る無線端末において、前記所定のパラメータは、コアネットワーク装置から提供される拡張ＤＲＸサイクルを含んでもよい。
【００３７】
第６実施形態に係る無線端末において、前記ページングハイパーフレームのハイパーフレーム番号を「Ｈ−ＳＦＮ」で示し、前記拡張ＤＲＸサイクルに相当するハイパーフレーム数を「ＴeDRX」で示し、自無線端末に固有の値に基づく値を「α」で示す場合、前記第３の計算式は、
H-SFN mod TeDRX = α mod TeDRX
であってもよい。
【００３８】
第６実施形態に係る無線端末において、前記αは、自無線端末に固有の値をハイパーフレーム番号の上限数で除算した剰余の値であってもよい。
【００３９】
第６実施形態に係る無線端末において、前記第１の計算式を用いて複数のページングフレームが決定された場合、前記制御部は、前記第３の計算式を用いて決定した前記ページングハイパーフレーム内で、前記複数のページングフレームのうち最初のページングフレームにおいてのみページングを受信する処理を行ってもよい。
【００４０】
第６実施形態に係るネットワーク装置は、無線端末のページングオケージョンを含む無線フレームであるページングフレームを決定し、前記ページングフレームの中から所定のサブフレームを前記ページングオケージョンとして決定する。前記基地局は、それぞれ所定数の無線フレームを含む複数のハイパーフレームの中から、前記ページングフレームを含むハイパーフレームであるページングハイパーフレームを決定する制御部を備える。前記制御部は、前記ページングフレームの決定に用いる第１の計算式及び前記ページングオケージョンの決定に用いる第２の計算式とは別に規定された第３の計算式を用いて、前記ページングハイパーフレームを決定する。
【００４１】
第６実施形態に係るネットワーク装置は、基地局であり、前記第１の計算式を用いて複数のページングフレームが決定された場合、前記制御部は、前記第３の計算式を用いて決定した前記ページングハイパーフレーム内で、前記複数のページングフレームのうち最初のページングフレームにおいてのみページングを送信する処理を行ってもよい。
【００４２】
第７実施形態に係る無線端末は、移動通信システムにおける無線端末である。前記無線端末は、前記無線端末の動作クロックを生成するクロック生成部と、前記クロック生成部のクロック精度に関する精度情報をネットワークに通知する制御部と、を備える。
【００４３】
第７実施形態に係る無線端末において、前記精度情報は、前記無線端末に対するページング繰り返し回数及びページング繰り返し期間の少なくとも１つを前記ネットワークが決定するために用いられてもよい。
【００４４】
第７実施形態に係る無線端末において、前記制御部は、自無線端末の能力を示す能力情報の一部として前記精度情報を前記ネットワークに通知してもよい。
【００４５】
第７実施形態に係る無線端末において、前記制御部は、前記無線端末が実行するアプリケーションの許容レイテンシを示す許容レイテンシ情報を前記ネットワークに通知する際に、前記精度情報を前記ネットワークに通知してもよい。
【００４６】
第７実施形態に係る無線端末において、前記制御部は、前記許容レイテンシに対して必要とされるページング繰り返し回数及びページング繰り返し期間の少なくとも１つを前記ネットワークにさらに通知してもよい。
【００４７】
第７実施形態に係るネットワーク装置は、移動通信システムのネットワークに用いるネットワーク装置である。前記ネットワーク装置は、無線端末から送信される精度情報を受信し、前記精度情報に基づいて、前記無線端末に対するページング繰り返し回数及びページング繰り返し期間の少なくとも１つを決定する制御部を備える。前記精度情報は、前記無線端末の動作クロックを生成するクロック生成部のクロック精度に関する情報である。
【００４８】
第７実施形態に係るネットワーク装置において、前記制御部は、前記精度情報と、前記無線端末に設定された拡張ＤＲＸ（Ｄｉｓｃｏｎｔｉｎｕｏｕｓ  Ｒｅｃｅｐｔｉｏｎ）サイクルと、に基づいて、前記ページング繰り返し回数及び前記ページング繰り返し期間の少なくとも１つを決定してもよい。
【００４９】
第７実施形態に係るネットワーク装置において、前記制御部は、前記精度情報と、前記拡張ＤＲＸサイクルと、前記ネットワークにおけるセル間の同期精度と、に基づいて、前記ページング繰り返し回数及び前記ページング繰り返し期間の少なくとも１つを決定してもよい。
【００５０】
第７実施形態に係るネットワーク装置は、モビリティ管理装置であり、前記制御部は、前記ネットワークに設けられる基地局に対して、前記ページング繰り返し回数及び前記ページング繰り返し期間の少なくとも１つを通知してもよい。
【００５１】
第８実施形態に係る無線端末は、移動通信システムにおける無線端末である。前記無線端末は、アイドルモードにおいて、拡張ＤＲＸ（Ｄｉｓｃｏｎｔｉｎｕｏｕｓ  Ｒｅｃｅｐｔｉｏｎ）サイクルが適用されないＤＲＸ動作及び前記拡張ＤＲＸサイクルが適用される拡張ＤＲＸ動作のうち一の動作を行う制御部を備える。前記拡張ＤＲＸ動作がサポートされないエリアに前記無線端末が在圏する場合、前記制御部は、前記拡張ＤＲＸ動作を適用せずに、モビリティ管理装置により設定された特定の省電力動作を行う。
【００５２】
第８実施形態に係る無線端末において、前記特定の省電力動作は、ＮＡＳ（Ｎｏｎ−Ａｃｃｅｓｓ  Ｓｔｒａｔｕｍ）の仕様で規定されたＰＳＭ（Ｐｏｗｅｒ  Ｓａｖｉｎｇ  Ｍｏｄｅ）であってもよい。
【００５３】
第８実施形態に係る無線端末において、前記制御部は、基地局との通信を行うＡＳ（Ａｃｃｅｓｓ  Ｓｔｒａｔｕｍ）エンティティと、前記モビリティ管理装置との通信を行うＮＡＳエンティティと、を含み、前記ＡＳエンティティは、前記無線端末が在圏するエリアが前記拡張ＤＲＸ動作をサポートするか否かを前記ＮＡＳエンティティに通知してもよい。
【００５４】
第８実施形態に係る無線端末において、前記拡張ＤＲＸ動作がサポートされないエリアに前記無線端末が在圏し、かつ、前記無線端末に前記拡張ＤＲＸ動作が設定されている場合、前記ＡＳエンティティは、前記拡張ＤＲＸ動作がサポートされないエリアに前記無線端末が在圏することを前記ＮＡＳエンティティに通知してもよい。
【００５５】
第８実施形態に係る無線端末において、前記ＮＡＳエンティティは、前記拡張ＤＲＸ動作がサポートされないエリアに前記無線端末が在圏することを前記ＡＳエンティティから通知された場合、第１の処理又は第２の処理を行ってもよい。前記第１の処理は、前記拡張ＤＲＸ動作がサポートされないエリアに前記無線端末が在圏することを前記モビリティ管理装置に通知する処理である。前記第２の処理は、前記ＰＳＭの設定を前記モビリティ管理装置に要求する処理である。
【００５６】
第８実施形態に係る無線端末において、前記ＮＡＳエンティティは、前記モビリティ管理装置にトラッキングエリアアップデートを通知する際に、前記第１の処理又は前記第２の処理を行ってもよい。
【００５７】
第８実施形態に係る無線端末において、前記拡張ＤＲＸ動作がサポートされるエリアに前記無線端末が在圏し、かつ、前記無線端末に前記ＰＳＭが設定されている場合、前記ＡＳエンティティは、前記拡張ＤＲＸ動作がサポートされるエリアに前記無線端末が在圏することを前記ＮＡＳエンティティに通知してもよい。
【００５８】
第８実施形態に係る無線端末において、前記ＮＡＳエンティティは、前記拡張ＤＲＸ動作がサポートされるエリアに前記無線端末が在圏することを前記ＡＳエンティティから通知された場合、第３の処理又は第４の処理を行ってもよい。前記第３の処理は、前記拡張ＤＲＸ動作がサポートされるエリアに前記無線端末が在圏することを前記モビリティ管理装置に通知する処理である。前記第４の処理は、前記拡張ＤＲＸ動作の設定を前記モビリティ管理装置に要求する処理である。
【００５９】
第８実施形態に係る無線端末において、前記ＮＡＳエンティティは、前記モビリティ管理装置にトラッキングエリアアップデートを通知する際に、前記第３の処理又は前記第４の処理を行ってもよい。
【００６０】
第８実施形態に係る無線端末において、前記特定の省電力動作は、前記拡張ＤＲＸサイクル及び前記ＤＲＸ動作に用いるＤＲＸサイクルとは異なる特別なＤＲＸサイクルを用いる特別なＤＲＸ動作であり、前記特別なＤＲＸサイクルは、前記モビリティ管理装置により設定されてもよい。
【００６１】
第８実施形態に係る無線端末において、前記特別なＤＲＸサイクルは、前記ＤＲＸサイクルよりも長く、かつ、前記拡張ＤＲＸサイクルよりも短くてもよい。
【００６２】
［移動通信システムの構成］
以下において、実施形態に係る移動通信システムであるＬＴＥ（Ｌｏｎｇ  Ｔｅｒｍ  Ｅｖｏｌｕｔｉｏｎ）システムの構成について説明する。
【００６３】
（１）全体システム構成
図１は、ＬＴＥシステムの構成を示す図である。
【００６４】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００６５】
ＵＥ１００は、無線端末に相当する。ＵＥ１００は、移動型の通信装置であり、セル（サービングセル）との無線通信を行う。ＵＥ１００の構成については後述する。
【００６６】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００６７】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる他に、ＵＥ１００との無線通信を行う機能を示す用語としても用いられる。
【００６８】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）３００Ｃ／Ｓ−ＧＷ（Ｓｅｒｖｉｎｇ−Ｇａｔｅｗａｙ）３００Ｕを含む。ＭＭＥ３００Ｃは、ＵＥ１００に対する各種モビリティ制御等を行うモビリティ管理装置である。ＭＭＥ３００Ｃは、コアネットワーク装置と称されてもよい。Ｓ−ＧＷ３００Ｕは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００６９】
（２）無線プロトコルの構成
図２は、ＬＴＥシステムにおける無線インターフェイスのプロトコルスタック図である。
【００７０】
図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００７１】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００７２】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００７３】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００７４】
ＰＤＣＰ層は、ヘッダ圧縮・伸張、及び暗号化・復号化を行う。
【００７５】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）であり、そうでない場合、ＵＥ１００はＲＲＣアイドルモード（アイドルモード）である。
【００７６】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。ＵＥ１００及びＭＭＥ３００Ｃは、ＮＡＳメッセージを送受信する。
【００７７】
ＵＥ１００において、物理（ＰＨＹ）層、ＭＡＣ層、ＲＬＣ層、ＰＤＣＰ層、及びＲＲＣ層は、ｅＮＢ２００との通信を行うＡＳ（Ａｃｃｅｓｓ  Ｓｔｒａｔｕｍ）エンティティを構成する。ＮＡＳ層は、ＭＭＥ３００Ｃ等のコアネットワーク装置との通信を行うＮＡＳエンティティを構成する。
【００７８】
（３）無線端末の構成
図３は、ＵＥ１００（無線端末）のブロック図である。図３に示すように、ＵＥ１００は、受信部１１０、送信部１２０、及び制御部１３０を備える。
【００７９】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００８０】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００８１】
制御部１３０は、ＵＥ１００における各種の制御を行う。制御部１３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、上述した各種の通信プロトコル及び後述する各種の処理を実行する。
【００８２】
（４）基地局の構成
図４は、ｅＮＢ２００（基地局）のブロック図である。図４に示すように、ｅＮＢ２００は、送信部２１０、受信部２２０、制御部２３０、及びバックホール通信部２４０を備える。
【００８３】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００８４】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００８５】
制御部２３０は、ｅＮＢ２００における各種の制御を行う。制御部２３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵと、を含む。プロセッサは、上述した各種の通信プロトコル及び後述する各種の処理を実行する。
【００８６】
バックホール通信部２４０は、Ｘ２インターフェイスを介して隣接ｅＮＢと接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００８７】
（５）コアネットワーク装置の構成
図５は、ＭＭＥ３００Ｃ（コアネットワーク装置）のブロック図である。図５に示すように、ＭＭＥ３００Ｃは、通信部３１０及び制御部３２０を備える。
【００８８】
通信部３１０は、Ｓ１インターフェイスを介してｅＮＢ２００と接続され、Ｓ５インターフェイスを介してＳ−ＧＷ３００Ｕと接続される。通信部３１０は、Ｓ１インターフェイス上で行う通信及びＳ５インターフェイス上で行う通信等に用いられる。
【００８９】
制御部３２０は、ＭＭＥ３００Ｃにおける各種の制御を行う。制御部３２０は、プロセッサ及びメモリを含む。メモリは、プロセッサにより実行されるプログラム、及びプロセッサによる処理に用いられる情報を記憶する。プロセッサは、メモリに記憶されるプログラムを実行して各種の処理を行うＣＰＵと、を含む。プロセッサは、上述した各種の通信プロトコル及び後述する各種の処理を実行する。
【００９０】
［アイドルモードＤＲＸの概要］
以下において、アイドルモードＤＲＸ(Ｄｉｓｃｏｎｔｉｎｕｏｕｓ  Ｒｅｃｅｐｔｉｏｎ)について説明する。
【００９１】
ＲＲＣアイドルモードのＵＥ１００は、消費電力を削減するために、ＤＲＸ動作を行うことが可能である。ＤＲＸ動作を行うＵＥ１００は、ＰＤＣＣＨを間欠的に監視する。通常、サブフレーム中のＰＤＣＣＨは、当該サブフレーム中のＰＤＳＣＨのスケジューリング情報（無線リソース及びトランスポートフォーマットの情報）を運搬する。ＰＤＣＣＨを監視しない期間（スリープ期間）においてＵＥ１００の受信機をオフにすることが可能であるため、ＵＥ１００の消費電力が削減される。
【００９２】
ＲＲＣアイドルモードのＤＲＸ動作において、ＵＥ１００は、主に着信を通知するためのページングを受信するためにＰＤＣＣＨを間欠的に監視する。ＵＥ１００は、ページング用のグループ識別子（Ｐ−ＲＮＴＩ）を用いて、ＰＤＣＣＨをデコードし、ページングチャネルの割り当て情報を取得する。ＵＥ１００は、当該割当情報に基づいて、ページングメッセージを取得する。ＵＥ１００におけるＰＤＣＣＨ監視タイミングは、ＵＥ１００の識別子（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）に基づいて定められる。ＰＤＣＣＨ監視タイミングの算出について具体的に説明する。
【００９３】
ＲＲＣアイドルモードのＤＲＸ動作におけるＰＤＣＣＨ監視タイミング（ＰＤＣＣＨ監視サブフレーム）は、Ｐａｇｉｎｇ  Ｏｃｃａｓｉｏｎ（ＰＯ）と称される。ＰＯは、ページングの受信機会に相当する。
【００９４】
ＵＥ１００及びｅＮＢ２００は、Ｐａｇｉｎｇ  Ｏｃｃａｓｉｏｎ（ＰＯ）、及び、Ｐａｇｉｎｇ  Ｏｃｃａｓｉｏｎを含みうる無線フレームであるＰａｇｉｎｇ  Ｆｒａｍｅ（ＰＦ）を下記のように計算する。
【００９５】
ＰＦのシステムフレーム番号（ＳＦＮ）は、下記の式（１）から求められる。
【００９６】
SFN  mod  T  =  (T  div  N)  *  (UE_ID  mod  N)        …（１）
【００９７】
但し、Ｔは、ページングを監視するためのＵＥ１００のＤＲＸサイクルであり、無線フレームの数で表される。また、Ｔは、ｅＮＢ２００がＳＩＢ（Ｓｙｓｔｅｍ  Ｉｎｆｏｒｍａｔｉｏｎ  Ｂｌｏｃｋ）によりブロードキャストするデフォルトＤＲＸ値、及びＮＡＳメッセージによりＵＥ１００に設定されるＵＥ固有ＤＲＸ値のうち、何れか小さい方である。なお、ＵＥ固有ＤＲＸ値が設定されていない場合、ＵＥ１００は、デフォルトＤＲＸ値を適用する。また、Ｎは、ＴとｎＢのうち最小値である。ｎＢは、4T, 2T, T, T/2, T/4, T/8, T/16, T/32から選択される値である。ＵＥ＿ＩＤは、「IMSI  mod1024」により求められる値である。
【００９８】
このようにして求められたＰＦのうち、ＰＯのサブフレーム番号は、下記のように求められる。まず、下記の式（２）により、インデックスｉ＿ｓを求める。
【００９９】
i_s  =  floor(UE_ID/N)  mod  Ns        …（２）
【０１００】
但し、Ｎｓは、１とｎＢ／Ｔのうち最大値である。
【０１０１】
次に、表１または表２からＮｓ及びインデックスｉ＿ｓに対応するＰＯを求める。表１はＬＴＥ  ＦＤＤシステムに適用され、表２はＬＴＥ  ＴＤＤシステムに適用される。表１および表２において、Ｎ／Ａは非適用を表す。
【０１０２】
【表１】
2017026188.tif 000003
【０１０３】
【表２】
2017026188.tif 000004
【０１０４】
このようにして計算されるＰＦのＰＯ（ページング受信機会）において、ＵＥ１００は、ページング（具体的には、ＰＤＣＣＨ）を監視する。ｅＮＢ２００は、ＵＥ１００に対するページングの送信が必要な場合、ＰＦのＰＯ（ページング受信機会）においてＵＥ１００宛てのページングを送信する。
【０１０５】
［アイドルモード拡張ＤＲＸの概要］
以下において、アイドルモード拡張ＤＲＸ(ｅＤＲＸ：  ｅｘｔｅｎｄｅｄ  Ｄｉｓｃｏｎｔｉｎｕｏｕｓ  Ｒｅｃｅｐｔｉｏｎ)について説明する。
【０１０６】
ＲＲＣアイドルモードのＵＥ１００は、消費電力をより一層削減するために、ｅＤＲＸ動作を行うことが可能である。ｅＤＲＸ動作には、通常のＤＲＸ（非拡張ＤＲＸ）動作のＤＲＸサイクルよりも長いＤＲＸサイクルが用いられる。このような長いＤＲＸサイクルは、ｅＤＲＸサイクルと称される。なお、ｅＤＲＸサイクルは、明示的にｅＤＲＸサイクルとして定義されてもよいし、暗示的に所定長以上のＤＲＸサイクルとして定義されてもよい。
【０１０７】
ｅＤＲＸサイクルは、例えば１０．２４［ｓ］以上の時間長を有する。ＵＥ１００は、ｅＤＲＸサイクルの間はスリープ状態となり、スリープ状態から抜けた後（すなわち、ウェイクアップした後）、ページングを監視する。
【０１０８】
ｅＤＲＸのスリープ状態において、ＵＥ１００は、ページング受信機会におけるページングメッセージの受信が免除される。また、ｅＮＢ２００若しくはＭＭＥ３００は、当該ｅＤＲＸのスリープ状態において、ＵＥ１００がページングメッセージ受信を行わないと認識できるので、ＵＥ１００に対するページングメッセージの送信を行わない。ｅＤＲＸサイクル以外の期間は、ウェイクアップ期間と称されてもよい。換言すると、ｅＤＲＸのスリープ状態以外の状態は、ウェイクアップ状態と称されてもよい。ｅＤＲＸのウェイクアップ状態において、ＵＥ１００は、上述したＰＦ・ＰＯにより定まるページング受信機会においてページングメッセージを監視する。
【０１０９】
ｅＤＲＸサイクルの特定方法としては、２通りの方法が検討されている。１つは、システムフレーム番号（ＳＦＮ）に拡張ビット（Ｈ−ＳＦＮ）を導入する方法である。ＤＲＸサイクルは無線フレームの数で表されるため、ＳＦＮを拡張することによりｅＤＲＸサイクルに対応可能となる。もう１つは、ｅＤＲＸサイクルを規定するタイマ（ｅＤＲＸタイマ）を導入する方法である。ＵＥ１００は、ｅＤＲＸタイマの満了時にｅＤＲＸのスリープ状態から抜ける（ウェイクアップする）。
【０１１０】
実施形態において、ＭＭＥ３００Ｃ（コアネットワーク装置）がＵＥ１００にｅＤＲＸを設定する場合を主として想定する。具体的には、ＭＭＥ３００Ｃは、ＮＡＳメッセージによりｅＤＲＸの設定パラメータをＵＥ１００に通知する。ｅＤＲＸの設定パラメータは、例えばｅＤＲＸタイマのタイマ値、ｅＤＲＸサイクルのサブフレーム数（間隔）等である。
【０１１１】
ＵＥ１００は、ＤＲＸのスリープ状態から抜けた後、上述したＰＦ及びＰＯの計算式により定まるページング受信機会において、ページングを監視する。つまり、ＰＦ及びＰＯの計算には、通常のＤＲＸにおけるパラメータが用いられる。通常のＤＲＸにおけるパラメータとは、例えば、ｅＮＢ２００がＳＩＢによりブロードキャストするデフォルトＤＲＸ値及びＮＡＳメッセージによりＵＥ１００に設定されるＵＥ固有ＤＲＸ値等である。
【０１１２】
ページング受信の信頼性を向上させるために、ｅＮＢ２００は、ｅＤＲＸが設定されているＵＥ１００に対し、ある期間内の複数のページング受信機会においてページングメッセージを繰り返し送信することができる。当該期間は、ページング送信ウィンドウ（ＰＴＷ：  Ｐａｇｉｎｇ  Ｔｒａｎｓｍｉｓｓｉｏｎ  Ｗｉｎｄｏｗ）と称されてもよい。
【０１１３】
図６は、ｅＤＲＸに関するｅＮＢ２００及びＵＥ１００の動作例を説明するための図である。
【０１１４】
図６に示すように、時刻ｔ０〜ｔ１の期間において、ＵＥ１００は、ＲＲＣコネクティッド状態である。この期間内でＭＭＥ３００ＣがＵＥ１００にｅＤＲＸを設定してもよい。
【０１１５】
時刻ｔ１〜ｔ２の期間において、ＵＥ１００は、ｅＤＲＸのスリープ状態である。時刻ｔ１〜ｔ２の期間は、ｅＤＲＸサイクルに相当する。ＵＥ１００がｅＤＲＸを開始するための動作については、第１実施形態において説明する。
【０１１６】
時刻ｔ２において、ＵＥ１００は、ｅＤＲＸのスリープ状態から抜ける（ウェイクアップ）する。時刻ｔ２〜ｔ５の期間は、ページング送信ウィンドウ（ＰＴＷ）に相当する。ｅＮＢ２００は、ＭＭＥ３００Ｃからのページングメッセージに基づいて、ページング送信ウィンドウ内のページング受信機会（ＰＦ・ＰＯ）においてページングを繰り返し送信する。但し、ＵＥ１００は、ページング送信ウィンドウを把握していなくてもよい。ＭＭＥ３００ＣとｅＮＢ２００との間のページングメッセージに関する動作については、第２実施形態において説明する。ＵＥ１００のページング受信機会を決定する動作については、第３実施形態において説明する。
【０１１７】
時刻ｔ３及びｔ４において、ＵＥ１００のページング受信機会（ＰＦ・ＰＯ）が発生する。ｅＮＢ２００は、時刻ｔ３及びｔ４においてページングをＵＥ１００に繰り返し送信する。ｅＮＢ２００がページングを繰り返し送信する動作及びＵＥ１００がページングを監視する動作については、第４実施形態において説明する。
【０１１８】
時刻ｔ５において、ＵＥ１００は、ｅＤＲＸのウェイクアップ状態からスリープ状態に遷移する。
【０１１９】
ここでは、ｅＮＢ２００がｅＤＲＸの能力を有することを前提としている。ｅＤＲＸの能力を有しないｅＮＢ２００の存在を考慮したＵＥ１００の動作については、第５実施形態において説明する。
【０１２０】
［第１実施形態］
以下において、第１実施形態について説明する。第１実施形態は、ＵＥ１００がｅＤＲＸを開始するための動作に関する実施形態である。
【０１２１】
第１実施形態に係るＵＥ１００は、ＭＭＥ３００Ｃから自ＵＥ１００にアイドルモードｅＤＲＸが設定された後、コネクティッドモードにおいて、自ＵＥ１００とｅＮＢ２００との間の接続を解放するための情報をｅＮＢ２００に送信する。ＵＥ１００は、コネクティッドモードにおいて自ＵＥ１００の通信データが存在しないことを確認した場合、自ＵＥ１００とｅＮＢ２００との間の接続を解放するための情報をｅＮＢ２００に送信してもよい。
【０１２２】
或いは、ＭＭＥ３００Ｃは、自ＭＭＥ３００ＣがＵＥ１００にアイドルモードｅＤＲＸを設定した後、コネクティッドモードのＵＥ１００とｅＮＢ２００との間の接続を解放するための情報をｅＮＢ２００に送信する。ＭＭＥ３００Ｃは、コネクティッドモードのＵＥ１００の通信データが存在しないことを確認した場合、ＵＥ１００とｅＮＢ２００との間の接続を解放するための情報をｅＮＢ２００に送信してもよい。
【０１２３】
第１実施形態において、ＵＥ１００は、ＭＭＥ３００Ｃから自ＵＥ１００にアイドルモードｅＤＲＸが設定された後、自ＵＥ１００とｅＮＢ２００との間の接続が解放された場合、ｅＤＲＸを開始する。ＵＥ１００は、ＭＭＥ３００ＣからｅＤＲＸのＤＲＸサイクルのタイマ値が設定された後、タイマ値に対応するタイマが接続を解放する際に動作中である場合、アイドルモードのｅＤＲＸを開始してもよい。
【０１２４】
よって、第１実施形態によれば、ＭＭＥ３００Ｃから自ＵＥ１００にアイドルモードｅＤＲＸが設定された場合、可及的速やかにＵＥ１００をアイドルモードに遷移させることができる。従って、可及的速やかにＵＥ１００にアイドルモードｅＤＲＸを開始させることができる。
【０１２５】
図７は、第１実施形態に係る動作パターン１の一例を示す図である。図７の初期状態において、ＵＥ１００は、ｅＮＢ２００のセルにおいてコネクティッドモード（ＲＲＣコネクティッドモード）である。
【０１２６】
図７に示すように、ステップＳ１０１において、ＭＭＥ３００Ｃは、アイドルモードｅＤＲＸの設定パラメータをＵＥ１００に送信することにより、ＵＥ１００にアイドルモードｅＤＲＸを設定する。ｅＤＲＸの設定パラメータは、ｅＤＲＸタイマのタイマ値を含んでもよい。ＵＥ１００は、ｅＤＲＸの設定パラメータを受信して記憶（設定）する。
【０１２７】
ステップＳ１０２において、ＵＥ１００は、自ＵＥ１００とｅＮＢ２００との間の接続を解放するための情報（ｅＤＲＸインジケータ）をｅＮＢ２００に送信する。ｅＮＢ２００は、ｅＤＲＸインジケータを受信する。ｅＤＲＸインジケータは、ＵＥ１００にｅＤＲＸが設定されたことを示す通知情報であってもよい。ｅＤＲＸインジケータは、接続（ＲＲＣ接続）の解放を要求する要求情報であってもよい。
【０１２８】
ＵＥ１００は、自ＵＥ１００の上りリンクバッファを確認し、上りリンクデータが無くなった際にｅＤＲＸインジケータをｅＮＢ２００に送信してもよい。或いは、ＵＥ１００のＡＳエンティティは、上りリンク・下りリンクデータ有無に関する情報をアプリケーション層から取得し、上りリンク・下りリンクデータが無くなった際にｅＤＲＸインジケータをｅＮＢ２００に送信してもよい。
【０１２９】
ステップＳ１０３において、ｅＮＢ２００は、ｅＤＲＸインジケータの受信に応じて、ＵＥ１００との接続（ＲＲＣ接続）を解放する。ｅＮＢ２００は、自ｅＮＢ２００の下りリンクバッファを確認し、ＵＥ１００への下りリンクデータが無くなった際にＲＲＣ接続を解放してもよい。ｅＮＢ２００は、ＵＥ１００からのバッファ状態報告（ＢＳＲ）に基づいて、ＵＥ１００の上りリンクデータが無くなった際にＲＲＣ接続を解放してもよい。
【０１３０】
ステップＳ１０４において、ＵＥ１００は、ＲＲＣ接続の解放に応じて、アイドルモードｅＤＲＸを開始する。具体的には、ＵＥ１００は、アイドルモードｅＤＲＸにおけるスリープ状態に遷移する。
【０１３１】
図８は、第１実施形態に係る動作パターン２の一例を示す図である。図８の初期状態において、ＵＥ１００は、ｅＮＢ２００のセルにおいてコネクティッドモード（ＲＲＣコネクティッドモード）である。
【０１３２】
図８に示すように、ステップＳ１１１において、ＭＭＥ３００Ｃは、アイドルモードｅＤＲＸの設定パラメータをＵＥ１００に送信することにより、ＵＥ１００にアイドルモードｅＤＲＸを設定する。ｅＤＲＸの設定パラメータは、ｅＤＲＸタイマのタイマ値を含んでもよい。ＵＥ１００は、ｅＤＲＸの設定パラメータを受信して記憶（設定）する。
【０１３３】
ステップＳ１１２において、ＭＭＥ３００Ｃは、ＵＥ１００の通信データ（上りリンクデータ／下りリンクデータ）の有無についてＳ−ＧＷ３００Ｕに問い合わせてもよい。或いは、ＭＭＥ３００Ｃは、ＵＥ１００の通信データの有無についてＵＥ１００のＮＡＳエンティティに問い合わせてもよい。ＭＭＥ３００Ｃは、ＵＥ１００の通信データが無くなったことを確認した場合、ステップＳ１１３に処理を移してもよい。
【０１３４】
ステップＳ１１３において、ＭＭＥ３００Ｃは、ＵＥ１００とｅＮＢ２００との間の接続を解放するためのＵＥコンテキスト解放要求（ＵＥ  Ｃｏｎｔｅｘｔ  Ｒｅｌｅａｓｅ）をｅＮＢ２００に送信する。ｅＮＢ２００は、ＵＥコンテキスト解放要求を受信する。ＭＭＥ３００Ｃは、ＵＥコンテキスト解放要求に代えて、ＵＥ１００にｅＤＲＸが設定されたことを示す通知情報をｅＮＢ２００に送信してもよい。
【０１３５】
ステップＳ１１４において、ｅＮＢ２００は、ＵＥコンテキスト解放要求（又は通知情報）の受信に応じて、ＵＥ１００との接続（ＲＲＣ接続）を解放する。ｅＮＢ２００は、自ｅＮＢ２００の下りリンクバッファを確認し、ＵＥ１００への下りリンクデータが無くなった際にＲＲＣ接続を解放してもよい。ｅＮＢ２００は、ＵＥ１００からのバッファ状態報告（ＢＳＲ）に基づいて、ＵＥ１００の上りリンクデータが無くなった際にＲＲＣ接続を解放してもよい。
【０１３６】
ステップＳ１１５において、ＵＥ１００は、ＲＲＣ接続の解放に応じて、アイドルモードｅＤＲＸを開始する。具体的には、ＵＥ１００は、アイドルモードｅＤＲＸにおけるスリープ状態に遷移する。
【０１３７】
図９は、第１実施形態に係るＵＥ１００の動作の一例を示す図である。
【０１３８】
図９に示すように、ステップＳ１２１において、ＵＥ１００のＮＡＳエンティティ１００ｂは、ＭＭＥ３００ＣからｅＤＲＸの設定パラメータを受信する。ｅＤＲＸの設定パラメータは、ｅＤＲＸサイクルのタイマ値（ｅＤＲＸタイマ値）を含んでもよい。
【０１３９】
ステップＳ１２２において、ＵＥ１００のＮＡＳエンティティ１００ｂは、ｅＤＲＸの設定パラメータをＡＳエンティティ１００ａに通知する。
【０１４０】
ステップＳ１２３において、ＵＥ１００のＡＳエンティティ１００ａは、ＲＲＣ接続を解放する。ＵＥ１００のＡＳエンティティ１００ａは、ｅＮＢ２００からの指示に従ってＲＲＣ接続を解放してもよい。
【０１４１】
ステップＳ１２４において、ＵＥ１００のＡＳエンティティ１００ａは、ｅＤＲＸの設定パラメータに基づくｅＤＲＸを開始する。ｅＤＲＸの設定パラメータがｅＤＲＸタイマ値を含む場合、ＡＳエンティティ１００ａは、当該タイマ値に対応するタイマが動作中（ｒｕｎｎｉｎｇ）である場合、アイドルモードｅＤＲＸを開始してもよい。
【０１４２】
［第２実施形態］
以下において、第２実施形態について、第１実施形態との相違点を主として説明する。第２実施形態は、ＭＭＥ３００ＣとｅＮＢ２００との間のページングメッセージ（Ｓ１ページング）に関する動作に関する実施形態である。
【０１４３】
第２実施形態に係るｅＮＢ２００は、ＵＥ１００のページングに用いるページングメッセージをＭＭＥ３００Ｃから受信する。ページングメッセージは、アイドルモードｅＤＲＸに関する情報を含む。
【０１４４】
第２実施形態の動作パターン１において、ページングメッセージは、アイドルモードｅＤＲＸに関する情報として、ＵＥ１００にアイドルモードｅＤＲＸが設定されているか否かをｅＮＢ２００が判断するための情報を含む。
【０１４５】
第２実施形態の動作パターン１−１において、ページングメッセージは、非ｅＤＲＸ（通常のアイドルモードＤＲＸ）用の第１のフィールドと、アイドルモードｅＤＲＸ用の第２のフィールドと、を含む。例えば、第１のフィールドは、「Ｐａｇｉｎｇ  ＤＲＸ  ＩＥ」フィールドである。第２のフィールドは、「Ｅｘｔｅｎｄｅｄ  Ｐａｇｉｎｇ  ＤＲＸ  ＩＥ」フィールドである。つまり、ページングメッセージは、既存の「Ｐａｇｉｎｇ  ＤＲＸ  ＩＥ」フィールドを維持しつつ、新たな「Ｅｘｔｅｎｄｅｄ  Ｐａｇｉｎｇ  ＤＲＸ  ＩＥ」フィールドが追加されている。ｅＮＢ２００は、ｅＤＲＸのＤＲＸサイクルを示す情報（Ｅｘｔｅｎｄｅｄ  Ｐａｇｉｎｇ  ＤＲＸ  ＩＥ）が第２のフィールドに含まれている場合、ＵＥ１００にｅＤＲＸが設定されていると判断する。
【０１４６】
第２実施形態の動作パターン１−２において、ページングメッセージは、ＵＥ１００に設定されているＤＲＸサイクルを示す情報（Ｐａｇｉｎｇ  ＤＲＸ  ＩＥ）を含む。この場合、ページングメッセージに新たな「Ｅｘｔｅｎｄｅｄ  Ｐａｇｉｎｇ  ＤＲＸ  ＩＥ」フィールドが追加されずに、既存の「Ｐａｇｉｎｇ  ＤＲＸ  ＩＥ」の値域が拡張される。ｅＮＢ２００は、当該情報により示されるＤＲＸサイクルが規定時間以上である場合、ＵＥ１００にｅＤＲＸが設定されていると判断する。ＤＲＸサイクルが規定時間以上である場合とは、「Ｐａｇｉｎｇ  ＤＲＸ  ＩＥ」の値が閾値（例えば、２５６）以上の値である場合であってもよい。
【０１４７】
第２実施形態の動作パターン１によれば、ＵＥ１００にアイドルモードｅＤＲＸが設定されているか否かをｅＮＢ２００がページングメッセージに基づいて把握することができる。その結果、ｅＮＢ２００は、アイドルモードｅＤＲＸが設定されているＵＥ１００に対し、ｅＤＲＸ用ページング処理（例えば第２実施形態の動作パターン２参照）を行うことが可能となる。
【０１４８】
第２実施形態の動作パターン２において、ページングメッセージは、アイドルモードｅＤＲＸに関する情報として、ｅＮＢ２００がＵＥ１００に対するページング送信タイミングを判断するための情報を含む。
【０１４９】
第２実施形態の動作パターン２−１において、ページングメッセージは、ページングを行う基準時間を示す時間情報を含む。なお、本パターンは、上述したｅＤＲＸタイマによりｅＤＲＸサイクルを特定する場合を想定している。例えば、ページングを行う基準時間は、絶対時間で表現される。絶対時間は、協定世界時（ＵＴＣ）等である。ｅＮＢ２００は、時間情報に基づいてページングを行う。具体的には、ｅＮＢ２００は、当該絶対時間を含むページング送信ウィンドウ（ＰＴＷ）を特定し、当該ＰＴＷのページング受信機会（ＰＦ・ＰＯ）において、ページングを繰り返し送信（ｒｅｐｅｔｉｔｉｏｎ）する。ｅＮＢ２００は、基準時間（絶対時間）をＰＴＷの始点として用いてもよいし、ＰＴＷの終点として用いてもよい。或いは、ｅＮＢ２００は、基準時間（絶対時間）を、ＵＥ１００がｅＤＲＸのスリープ状態に入ったタイミング又はｅＤＲＸのスリープ状態からウェイクアップしたタイミングとして用いてもよい。
【０１５０】
第２実施形態の動作パターン２−２において、ページングメッセージは、ページングの繰り返し送信回数を示す再送制御情報を含む。例えば、ＭＭＥ３００Ｃは、ｅＮＢ２００との間のＳ１インターフェイスの遅延やバラツキ（ジッタ）等を考慮して、ページングの繰り返し送信回数を決定し、ｅＮＢ２００に伝える。ｅＮＢ２００は、再送制御情報に基づいてページングの繰り返し送信を行う。具体的には、ｅＮＢ２００は、ページングメッセージを受信した後、ページング受信機会（ＰＦ・ＰＯ）において指定された回数だけページング送信を行う。
【０１５１】
第２実施形態の動作パターン２によれば、ＵＥ１００にアイドルモードｅＤＲＸが設定された場合でも、ページングの信頼性を保証することができる。
【０１５２】
なお、ＭＭＥ３００Ｃは、ＵＥ１００に対してページング繰り返し送信回数を通知してもよい。例えば、ＭＭＥ３００Ｃは、ＵＥ１００にアイドルモードｅＤＲＸを設定する際に、ＵＥ１００にページング繰り返し送信回数を通知する。ＵＥ１００は、通知された繰り返し送信回数を参考にしながら、適切なウェイクアップタイミングを決定することができる。例えば、ＵＥ１００は、繰り返し送信回数が少ない場合は、ウェイクアップするタイミングを早める。
【０１５３】
図１０は、第２実施形態に係る動作の一例を示す図である。本動作に先立ち、ｅＮＢ２００は、ＵＥ１００に対してページング繰り返し送信回数を通知してもよい（ステップＳ２００）。
【０１５４】
図１０に示すように、ステップＳ２０１において、ＭＭＥ３００Ｃは、ページングメッセージ（Ｓ１ページング）をｅＮＢ２００に送信する。ページングメッセージは、ＵＥ１００にアイドルモードｅＤＲＸが設定されているか否かをｅＮＢ２００が判断するための情報を含む（動作パターン１）。ページングメッセージは、ｅＮＢ２００がＵＥ１００に対するページング送信タイミングを判断するための情報を含む（動作パターン２）。ｅＮＢ２００は、ページングメッセージを受信する。
【０１５５】
ステップＳ２０２において、ｅＮＢ２００は、ページングメッセージに含まれる情報に基づいて、ページング対象のＵＥ１００にアイドルモードｅＤＲＸが設定されているか否かを判断する（動作パターン１）。ここでは、ページング対象のＵＥ１００にアイドルモードｅＤＲＸが設定されていると仮定して、説明を進める。
【０１５６】
ステップＳ２０３において、ｅＮＢ２００は、ページングメッセージに含まれる情報に基づいて、ページング対象のＵＥ１００に対するページング送信タイミング（例えば、ＰＴＷ、ページング繰り返し送信回数）を判断する（動作パターン２）。
【０１５７】
ステップＳ２０４において、ｅＮＢ２００は、ステップＳ２０３の判断結果に基づいて、ＵＥ１００に対するページング送信（繰り返し送信）を行う。
【０１５８】
［第２実施形態の変更例］
図１１は、第２実施形態の変更例を示す図である。
【０１５９】
図１１に示すように、ｅＮＢ２００は、自ｅＮＢ２００がページングの繰り返し送信を行う能力を有するか否かを示す情報（能力情報）をＭＭＥ３００Ｃに送信する。ｅＮＢ２００は、Ｓ１インターフェイスの確立のためのメッセージ（Ｓ１  Ｓｅｔｕｐ  Ｒｑｕｅｓｔ）に能力情報を含めてもよいし、自ｅＮＢ２００の設定更新のためのメッセージ（Ｓ１  ｅＮＢ  Ｃｏｎｆｉｇｕｒａｔｉｏｎ  Ｕｐｄａｔｅ）に能力情報を含めてもよい。能力情報は、ｅＮＢ２００がｅＤＲＸに対応したｅＮＢであることを示す情報であってもよい。能力情報は、ｅＮＢ２００が準拠する規格のリリース番号であってもよい。
【０１６０】
ＭＭＥ３００Ｃは、ｅＮＢ２００から受信した能力情報に基づいて、ｅＮＢ２００がページングの繰り返し送信を行う能力を有するか否かを把握する。ここでは、ｅＮＢ２００がページングの繰り返し送信を行う能力を有しないと仮定して説明を進める。
【０１６１】
ステップＳ２１２において、ＭＭＥ３００Ｃは、ｅＮＢ２００に対してページングメッセージの繰り返し送信を行う。ｅＮＢ２００は、繰り返し送信されるページングメッセージを受信する。
【０１６２】
ステップＳ２１３において、ｅＮＢ２００は、ＭＭＥ３００Ｃから受信した複数のページングメッセージに対応する複数のページングをＵＥ１００に繰り返し送信する。
【０１６３】
第２実施形態の変更例によれば、ｅＮＢ２００が自律的なページング繰り返し送信の能力を有しない場合でも、ｅＮＢ２００にページング繰り返し送信を行わせることができるため、ページングの信頼性を高めることができる。
【０１６４】
［第３実施形態］
以下において、第３実施形態について、第１実施形態及び第２実施形態との相違点を主として説明する。第３実施形態は、ＵＥ１００のページング受信機会を決定する動作に関する実施形態である。
【０１６５】
第３実施形態に係るＵＥ１００は、アイドルモード（ＲＲＣアイドルモード）において、ＭＭＥ３００Ｃから提供される第１のパラメータ又はｅＮＢ２００から提供される第２のパラメータに基づいて自ＵＥ１００のページング受信機会（ＰＦ・ＰＯ）を決定する。例えば、第１のパラメータは、ＮＡＳメッセージによりＵＥ１００に設定されるＵＥ固有ＤＲＸ値である。第２のパラメータは、ｅＮＢ２００がＳＩＢによりブロードキャストするデフォルトＤＲＸ値である。上述したように、通常のアイドルモードＤＲＸにおいて、ＵＥ１００は、ＵＥ固有ＤＲＸ値及びデフォルトＤＲＸ値のうち、何れか小さい方を用いてページング受信機会（ＰＦ・ＰＯ）を決定する。ｅＮＢ２００も同様にページング受信機会（ＰＦ・ＰＯ）を計算し、ページング送信タイミングを決定する。
【０１６６】
しかしながら、アイドルモードｅＤＲＸが設定されたＵＥ１００については、ｅＮＢ２００がページングの繰り返し送信を行う。この場合、ＭＭＥ３００Ｃが提供する第１のパラメータよりも、ｅＮＢ２００が提供する第２のパラメータの方が適切にページング受信機会（ＰＦ・ＰＯ）を決定することができると考えられる。
【０１６７】
そこで、第３実施形態に係るＵＥ１００は、自ＵＥ１００にアイドルモードｅＤＲＸが設定されている場合、第１のパラメータを無視し、第２のパラメータに基づいてページング受信機会を決定する。同様に、ｅＮＢ２００は、ＵＥ１００にアイドルモードｅＤＲＸが設定されている場合、第１のパラメータを無視し、第２のパラメータに基づいてページング送信タイミングを決定する。具体的には、ＵＥ１００にアイドルモードｅＤＲＸが設定されている場合、ＵＥ１００及びｅＮＢ２００は、ＵＥ１００に第１のパラメータ（ＵＥ固有ＤＲＸ値）が設定されており、かつ第１のパラメータが第２のパラメータよりも小さくても、第２のパラメータを用いてページング受信機会（ＰＦ・ＰＯ）を計算する。
【０１６８】
なお、ｅＮＢ２００から提供される第２のパラメータは、デフォルトＤＲＸ値に限らず、新たなＤＲＸ値であってもよい。新たなＤＲＸ値は、例えばＲＡＮ固有の値（すなわち、コアネットワークと関連しない値）である。或いは、新たなＤＲＸ値は、ｅＮＢ固有（セル固有）の値であってもよい。
【０１６９】
新たなＤＲＸ値は、ｅＮＢ２００がＳＩＢで提供してもよいし、ＵＥ１００宛ての専用シグナリングで提供してもよい。専用シグナリングは、ＲＲＣ接続の解放メッセージ（ＲＲＣ  Ｃｏｎｎｅｃｔｉｏｎ  Ｒｅｌｅａｓｅ）であってもよい。なお、新たなＤＲＸ値は、３２ＳＦＮ（ｎＢの算出値）以上であることが好ましい。具体的には、上述したように「nB = (paging cycle)/32」で計算され、このｎＢがＰＦ／ＰＯを算出するためのＤＲＸサイクルになり得るので、現状の計算式（値の定義）をそのまま流用すると、３２ＳＦＮ以上しか取れないことになる。
【０１７０】
第３実施形態によれば、ｅＮＢ２００がページングの繰り返し送信を行う場合でも、適切にページング受信機会（ＰＦ・ＰＯ）を決定することができる。
【０１７１】
［第４実施形態］
以下において、第４実施形態について、第１実施形態乃至第３実施形態との相違点を主として説明する。第４実施形態は、ｅＮＢ２００がページングを繰り返し送信する動作及びＵＥ１００がページングを監視する動作に関する実施形態である。
【０１７２】
第４実施形態に係るｅＮＢ２００は、ＵＥ１００にアイドルモードｅＤＲＸが設定されている場合、ＵＥ１００の２以上のページング受信機会（ＰＦ・ＰＯ）においてページングの繰り返し送信を行う。当該２以上のページング受信機会は、ＵＥ１００のｅＤＲＸにおけるウェイクアップタイミングに対応する特定のページング受信機会と、当該特定のページング受信機会の次のページング受信機会と、を含む。但し、特定のページング受信機会は、ＰＦ／ＰＯによらず、単にｅＤＲＸタイマが満了するタイミングであってもよい。
【０１７３】
当該２以上のページング受信機会は、当該特定のページング受信機会の１つ前のページング受信機会をさらに含んでもよい。このような繰り返し送信を行うことにより、ＵＥ１００のクロック誤差（クロックドリフト）を補償することができる。
【０１７４】
第４実施形態に係るＵＥ１００は、自ＵＥ１００にアイドルモードｅＤＲＸが設定された後、ｅＤＲＸにおけるＤＲＸサイクルごとにｅＮＢ２００がページングの繰り返し送信を行っても、ＤＲＸサイクルごとに１つのページング受信機会（ＰＦ・ＰＯ）においてのみページングを監視する。ＵＥ１００は、当該１つのページング受信機会においてページングを受信しなかった場合、ｅＤＲＸにおけるスリープ状態に遷移してもよい。これにより、ＵＥ１００の消費電力を削減するというｅＤＲＸの目的をより確実に達成することができる。
【０１７５】
図１２は、第４実施形態に係る動作の一例を示す図である。図１３は、第４実施形態に係る動作の他の例を示す図である。
【０１７６】
図１２に示すように、ＵＥ１００は、ページング送信ウィンドウ（ＰＴＷ）内の複数のページング受信機会（ＰＦ・ＰＯ）のうち、任意の１つのページング受信機会においてのみ、ページングを監視する。つまり、ｅＮＢ２００からページングが繰り返し送信されていても、ＵＥ１００は１つのページング受信機会でだけページング監視を行う。ＵＥ１００は、当該１つのページング受信機会にてページングを受信しなかった場合、当該１つのページング受信機会の終了後にｅＤＲＸのスリープ状態に入ることができる。
【０１７７】
なお、ＵＥ１００がページング送信ウィンドウを把握していてもよいし、把握していなくてもよい。但し、ＵＥ１００がページング送信ウィンドウを把握していない場合を主として想定すると、図１３に示すように、ページング送信ウィンドウは、１０．２４［ｓ］（ＳＦＮ上限値）と一致していることが好ましい。また、ＵＥ１００は、ウェイクアップのタイミング（ｅＤＲＸサイクルの期間経過時)から１０．２４［ｓ］が経過するまでの期間をページング送信ウィンドウとみなして、その１０．２４［ｓ］内の任意の１つのページング受信機会においてページングを監視する。
【０１７８】
但し、ＵＥ１００がウェイクアップしたタイミングがあるＳＦＮを超えていた（又は超えていなかった)場合、図１３に示すように、ＵＥ１００は、例外的に次のページング送信ウィンドウ（もしくは１０．２４［ｓ］）において、もう一度だけページングを監視しなければならない。「あるＳＦＮ」とは、既に、ＳＦＮ＝１０２３（最大値）までにおいて一度もＰＦが存在しない場合を指す。「ＳＦＮがある値を超えていた場合」とは、例えば７６７（＝３／４）、９９１（＝１０２３−ｒｆ３２）である。「もう一度ページングをモニタ」とは、次のページング送信ウィンドウ（もしくは１０．２４［ｓ］）の最初のページング受信機会（ＰＦ・ＰＯ）に限定してもよい。
【０１７９】
［第５実施形態］
以下において、第５実施形態について、第１実施形態乃至第４実施形態との相違点を主として説明する。第５実施形態は、ｅＤＲＸの能力を有しないｅＮＢ２００の存在を考慮したＵＥ１００の動作に関する実施形態である。
【０１８０】
第５実施形態に係るＵＥ１００は、自ＵＥ１００にアイドルモードｅＤＲＸが設定された後、ｅＤＲＸに対応していないｅＮＢ２００を検出した場合、ｅＤＲＸを中止するための処理を行う。当該処理は、ｅＤＲＸの解除を要求するための情報をＭＭＥ３００Ｃに送信する処理を含んでもよい。これにより、ｅＤＲＸに対応していないｅＮＢ２００のセルにＵＥ１００が在圏する場合でも、適切にページングを受信することが可能となる。
【０１８１】
図１４は、第５実施形態に係る動作の一例を示す図である。図１４の初期状態において、ＵＥ１００は、ｅＤＲＸのスリープ状態である。
【０１８２】
図１４に示すように、ステップＳ５０１において、ＵＥ１００は、ｅＤＲＸのスリープ状態から抜ける（ウェイクアップする）。但し、ＵＥ１００は、ｅＤＲＸのスリープ状態に遷移する前にも以下の動作を行ってもよい。
【０１８３】
ステップＳ５０２において、ＵＥ１００は、ｅＮＢ２００がｅＤＲＸに対応しているか否かを判断するための情報をｅＮＢ２００から受信する。ｅＮＢ２００がｅＤＲＸに対応しているか否かの判断方法としては、以下の方法が挙げられる。
【０１８４】
第１の方法として、ｅＮＢ２００は、ｅＤＲＸに対応していることを示す能力情報をブロードキャストシグナリング（ＳＩＢ又はＭＩＢ等）で送信する。ｅＮＢ２００は、自ｅＮＢ２００がページング繰り返しを行っているか否かを示す情報を能力情報としてブロードキャスとしてもよい。ＵＥ１００は、ｅＮＢ２００がｅＤＲＸに対応している又はページング繰り返しを行っていることを示す能力情報をｅＮＢ２００から受信した場合、ｅＮＢ２００がｅＤＲＸに対応していると判断する（ステップＳ５０３）。これに対し、ＵＥ１００は、ｅＤＲＸに対応していることを示す能力情報をｅＮＢ２００から受信しない場合、ｅＮＢ２００がｅＤＲＸに対応していないと判断する。
【０１８５】
第２の方法として、ｅＮＢ２００は、ｅＤＲＸ用の情報（例えばＨ−ＳＦＮ等）を含むＳＩＢを送信する。或いは、ｅＮＢ２００は、ｅＮＢ２００が準拠する規格のリリース番号の情報を含むＳＩＢを送信してもよい。ＵＥ１００は、ｅＤＲＸ用の情報（例えばＨ−ＳＦＮ等）を含むＳＩＢ、又はｅＤＲＸに対応するリリース番号の情報を含むＳＩＢをｅＮＢ２００から受信した場合、ｅＮＢ２００がｅＤＲＸに対応していると判断する（ステップＳ５０３）。そのような情報をｅＮＢ２００から受信しない場合、ｅＮＢ２００がｅＤＲＸに対応していないと判断する。
【０１８６】
以下において、ｅＮＢ２００がｅＤＲＸに対応していないと仮定して、説明を進める。
【０１８７】
ステップＳ５０４において、ＵＥ１００は、ｅＤＲＸを中止するための処理を行う。ＵＥ１００は、ＭＭＥ３００Ｃに対して、ｅＤＲＸ適用解除の通知を行ってもよい（ステップＳ５０４ａ）。この場合、トラッキングエリアアップデート（ＴＡＵ）メッセージで通知してもよい。
【０１８８】
また、ＵＥ１００は、当該セルに居る間は、通常のＤＲＸを適用してもよい。この場合、ＵＥ１００は、ＮＡＳの設定によらずデフォルトＤＲＸ値に従って動作することしてもよい（第３実施形態を参照）。ｅＤＲＸに対応していないｅＮＢ２００は、ＭＭＥ３００ＣからのｅＤＲＸ向けのページングメッセージを正しく解釈することができずに、デフォルトＤＲＸ値に従ってページングを行うと考えられる。よって、ＵＥ１００もデフォルトＤＲＸ値に従ってページングを監視することが好ましい。
【０１８９】
［第６実施形態］
以下において、第６実施形態について、第１実施形態乃至第５実施形態との相違点を主として説明する。第６実施形態は、Ｈ−ＳＦＮベースのアイドルモードｅＤＲＸに関する実施形態である。なお、第６実施形態は、第１実施形態乃至第５実施形態と組み合わせて実施可能である。
【０１９０】
（１）Ｈ−ＳＦＮベースのアイドルモードｅＤＲＸ
図１５は、ハイパーフレーム、無線フレーム、及びサブフレームの関係を示す図である。ハイパーフレームは、ハイパーフレーム番号（Ｈ−ＳＦＮ：Ｈｙｐｅｒ−Ｓｙｓｔｅｍ  Ｆｒａｍｅ  Ｎｕｍｂｅｒ）により識別される。無線フレームは、システムフレーム番号（ＳＦＮ：Ｓｙｓｔｅｍ  Ｆｒａｍｅ  Ｎｕｍｂｅｒ）により識別される。サブフレームは、サブフレーム番号により識別される。
【０１９１】
図１５に示すように、１つのハイパーフレームは、１０２４個の無線フレームにより構成される。１０２４個の無線フレームには、０番から１０２３番までのシステムフレーム番号が割り振られている。
【０１９２】
また、１つの無線フレームは、１０個のサブフレームにより構成される。１０個のサブフレームには、０番から９番までのサブフレーム番号が割り振られている。
【０１９３】
なお、ハイパーフレーム番号の上限数は、システム仕様により規定される。例えば、ハイパーフレーム番号は、０番から２５５番まで（すなわち、２５６個のハイパーフレーム）が規定される。
【０１９４】
図１６は、ページングハイパーフレーム（ＰＨ：Ｐａｇｉｎｇ  Ｈｙｐｅｒ−ｆｒａｍｅ）、ページングフレーム（ＰＦ：Ｐａｇｉｎｇ  Ｆｒａｍｅ）、及びページングオケージョン（ＰＯ：Ｐａｇｉｎｇ  Ｏｃｃａｓｉｏｎ）の関係を示す図である。
【０１９５】
図１６に示すように、ＵＥ１００は、複数のハイパーフレームの中から、ＰＦを含むハイパーフレームであるページングハイパーフレーム（ＰＨ）を決定する。ＰＨは、ｅＤＲＸサイクルごとに発生する。ｅＤＲＸサイクルは、ハイパーフレーム（１０．２４［ｓ］）の整数倍の時間長を有する。ＵＥ１００は、ｅＤＲＸサイクルのうちＰＨ以外のハイパーフレームの期間においてスリープ状態であってもよい。ＰＨを決定する動作については後述する。
【０１９６】
また、ＵＥ１００は、ＰＨの中から、自ＵＥ１００のＰＯを含む無線フレームであるＰＦを決定する。具体的には、ＵＥ１００は、上記の式（１）で示した既存のＰＦ計算式を用いて、ＰＨの中からＰＦを決定する。ＰＦは、式（１）の「Ｔ」で示す通常のＤＲＸサイクルごとに発生する。通常のＤＲＸサイクルは、無線フレーム（１０［ｍｓ］）の整数倍の時間長を有する。以下において、式（１）で示した既存のＰＦ計算式を「第１の計算式」と称する。
【０１９７】
さらに、ＵＥ１００は、ＰＦの中から、所定のサブフレームをＰＯとして決定する。具体的には、ＵＥ１００は、上記の式（２）で示した既存のＰＯ計算式を用いて、ＰＦの中から１又は複数のＰＯ候補サブフレームを決定し、ＰＯ候補サブフレームの中から１つのサブフレームをＰＯとして決定する。ＵＥ１００は、決定した１又は複数のＰＯのうち１つのＰＯにおいてのみページングを監視する。以下において、式（２）で示した既存のＰＯ計算式を「第２の計算式」と称する。なお、１つのＰＦに含まれるＰＯの数（すなわち、ページング容量）は、上述したｎＢに応じて変化し得る。
【０１９８】
（２）第６実施形態に係る動作
次に、第６実施形態に係る動作について説明する。第６実施形態に係る動作は、ＵＥ１００がＰＨを決定する動作に関する。以下において、ＵＥ１００の動作を主として説明するが、ｅＮＢ２００及びＭＭＥ３００Ｃの少なくとも何れかにおいても、ＵＥ１００と同様の方法でＰＨ（及びＰＦ・ＰＯ）を決定することに留意すべきである。第６実施形態において、ｅＮＢ２００及びＭＭＥ３００Ｃの少なくとも何れかは、ネットワーク装置に相当する。
【０１９９】
第６実施形態に係るＵＥ１００は、ＰＦの決定に用いる第１の計算式及びＰＯの決定に用いる第２の計算式とは別に規定された第３の計算式を用いて、ページングハイパーフレーム（ＰＨ）を決定する。
【０２００】
上述したように、第１の計算式及び第２の計算式には、ｅＮＢ２００からシステム情報（ＳＩＢ：Ｓｙｓｔｅｍ  Ｉｎｆｏｒｍａｔｉｏｎ  Ｂｌｏｃｋ）により提供されるＤＲＸパラメータ（以下、「ブロードキャストＤＲＸパラメータ」と称する）が適用される。ブロードキャストＤＲＸパラメータは、ｎＢを含む。ブロードキャストＤＲＸパラメータは、通常のＤＲＸサイクルの設定に用いるデフォルトＤＲＸ値を含んでもよい。
【０２０１】
これに対し、第３の計算式には、ブロードキャストＤＲＸパラメータが適用されずに、ブロードキャストＤＲＸパラメータとは異なる所定のパラメータが適用される。具体的には、第３の計算式には、ｎＢ（及びデフォルトＤＲＸ値）が適用されない。なお、ｎＢはページング容量を制御するためのパラメータであり、ＰＨの決定にあたって不要である。第３の計算式に適用される所定のパラメータは、コアネットワーク装置（ＭＭＥ３００Ｃ）から提供されるｅＤＲＸサイクル（後述する「ＴeDRX」）を含んでもよい。
【０２０２】
ＰＨのハイパーフレーム番号を「Ｈ−ＳＦＮ」で示し、拡張ＤＲＸサイクルに相当するハイパーフレーム数を「ＴeDRX」で示し、自ＵＥ１００に固有の値に基づく値を「α」で示す場合、第３の計算式は、下記の式（３）により規定される。
【０２０３】
H-SFN mod TeDRX = α mod TeDRX        …（３）
【０２０４】
ここで、「α」は、自ＵＥ１００に固有の値をハイパーフレーム番号の上限数（例えば、２５６）で除算した剰余の値であってもよい。ＵＥ１００に固有の値は、ＩＭＳＩであってもよい。すなわち、ハイパーフレーム番号の上限数を「Ｈ−ＳＦＮ  ｕｐｐｅｒ  ｂｏｕｎｄ」で示す場合、「α」は、
IMSI mod (H-SFN upper bound)
の計算式により決定される。
【０２０５】
但し、「Ｈ−ＳＦＮ  ｕｐｐｅｒ  ｂｏｕｎｄ」を用いずに「α」を決定してもよい。また、「α」は、ｅＮＢ２００が把握可能な値であって、かつＵＥ間でばらつきを持たせることができる値（例えば、規則性を有する疑似乱数等）であってもよく、上記の具体例に限定されるものではない。また、「Ｈ−ＳＦＮ  ｕｐｐｅｒ  ｂｏｕｎｄ」を用いずに「α」をＩＭＳＩとしてもよい。
【０２０６】
［第６実施形態の変更例］
第６実施形態の変更例において、ネットワーク装置は、ｅＮＢ２００である。ｅＮＢ２００は、第１の計算式を用いて複数のページングフレーム（ＰＦ）が決定された場合、第３の計算式を用いて決定したページングハイパーフレーム（ＰＨ）内で、複数のＰＦのうち最初のＰＦにおいてのみページングを送信する。
【０２０７】
第６実施形態の変更例において、ＵＥ１００は、第１の計算式を用いて複数のＰＦが決定された場合、第３の計算式を用いて決定したＰＨ内で、複数のＰＦのうち最初のＰＦにおいてのみページングを受信（監視）する。
【０２０８】
例えば、図１６に示すように、ＰＨｎ内にＰＦｍ，ＰＦ（ｍ＋１），…が含まれ、ＰＦｍがＰＨｎ内の最初のＰＦである場合、ｅＮＢ２００は、ＰＦｍにおいてページングを送信し、ＰＦ（ｍ＋１），…においてページングを送信しない。ここで、ｅＮＢ２００は、ＰＦｍ内の１又は複数のＰＯにおいてページングを送信する。ＵＥ１００は、ＰＦｍにおいてページングを受信（監視）し、ＰＦ（ｍ＋１），…においてページングを受信（監視）しない。ここで、ＵＥ１００は、ＰＦｍ内の１つのＰＯにおいてページングを受信（監視）する。
【０２０９】
このように、第６実施形態の変更例によれば、各ＰＨ内でページングの送受信に用いるＰＦを限定することにより、さらなる消費電力削減の効果を得ることができる。また、各ＰＨ内の複数のＰＦのうち最初のＰＦにおいてのみページングを送受信することにより、より早い段階でページングの送受信を行うことができる。
【０２１０】
但し、ページングを送受信すべきＰＦを、各ＰＨ内の複数のＰＦのうち最初のＰＦに限定することに代えて、２番目のＰＦに限定してもよいし、最後のＰＦに限定してもよい。つまり、ページングを送受信すべきＰＦを、各ＰＨ内の複数のＰＦのうち特定の１つのＰＦに限定すればよい。
【０２１１】
［第７実施形態］
以下において、第７実施形態について、第１実施形態乃至第６実施形態との相違点を主として説明する。第７実施形態において、第６実施形態で説明したＨ−ＳＦＮベースのアイドルモードｅＤＲＸを主として想定する。
【０２１２】
ｅＤＲＸ動作を行うＵＥ１００は、長時間にわたって受信機をオフにし得るため、ＵＥ１００のクロック誤差に起因して、ＵＥ１００とネットワークとの間の同期ずれが生じ得る。一方で、ＵＥ１００のクロック誤差を補償するために、上述したようなページングの繰り返し送信（ｒｅｐｅｔｉｔｉｏｎ）が行われる。
【０２１３】
しかしながら、ページングの繰り返し送信の回数（以下、「ページング繰返し回数」と称する）及びページングの繰り返し送信の期間（以下、「ページング繰返し期間」と称する）を決定する方法について明確ではない。なお、ページング繰返し期間は、上述したＰＴＷ（Ｐａｇｉｎｇ  Ｔｒａｎｓｍｉｓｓｉｏｎ  Ｗｉｎｄｏｗ）に相当する。
【０２１４】
第７実施形態において、ページング繰返し回数及びページング繰返し期間の少なくとも１つを適切に決定するための動作について説明する。
【０２１５】
（１）第７実施形態に係る無線端末
図１７は、第７実施形態に係るＵＥ１００（無線端末）のブロック図である。図１７に示すように、ＵＥ１００は、ＵＥ１００の動作クロックを生成するクロック生成部１４０を備える。クロック生成部１４０は、例えば水晶発振器等の発振器を含む。
【０２１６】
第７実施形態において、制御部１３０は、クロック生成部１４０のクロック精度に関する精度情報（以下、「クロック精度情報」と称する）をネットワークに通知する。ここで「ネットワーク」とは、ｅＮＢ２００であってもよいし、ＭＭＥ３００Ｃであってもよい。以下において、ＵＥ１００がＭＭＥ３００Ｃにクロック精度情報を通知する一例を主として説明する。
【０２１７】
「クロック精度」とは、例えば周波数精度であり、ＰＰＭ（ｐａｒｔｓ  ｐｅｒ  ｍｉｌｌｉｏｎ）で表すことができる。また、クロック精度情報は、クロック精度のクラスであってもよい。例えば、５０［ｐｐｍ］未満はｃｌａｓｓ  １、５０〜１００［ｐｐｍ］はｃｌａｓｓ  ２などのように、各クラスは一定のＰＰＭの範囲を示す。或いは、クロック精度情報は、クロック精度に関する統計値であってもよい。例えば、クロック精度情報は、クロック精度の平均値、又はクロック精度の最悪値（保証値）であってもよい。
【０２１８】
第７実施形態において、クロック精度情報は、ＵＥ１００に対するページング繰り返し回数及びページング繰り返し期間の少なくとも１つをネットワークが決定するために用いられる。これにより、ネットワーク（ＭＭＥ３００Ｃ）は、ＵＥ１００のクロック精度を考慮してページング繰り返し回数及びページング繰り返し期間を決定することができる。よって、ページング繰返し回数及びページング繰返し期間の少なくとも１つを適切に決定することができる。
【０２１９】
制御部１３０は、自ＵＥ１００の能力を示す能力情報の一部としてクロック精度情報をネットワークに通知してもよい。能力情報とは、例えばＲＲＣシグナリングの一種である「ＵＥ−ＥＵＴＲＡ−Ｃａｐａｂｉｌｉｔｙ」である。制御部１３０は、ネットワークからの要求に応じて、クロック精度情報を含む能力情報をネットワークに送信してもよい。
【０２２０】
また、制御部１３０は、ＵＥ１００が実行するアプリケーションの許容レイテンシを示す許容レイテンシ情報をネットワークに通知する際に、クロック精度情報をネットワークに通知してもよい。ここで「許容レイテンシ」とは、ＵＥ１００が省電力のために通信を停止してから、通信を再開する（下りリンクデータを受信する）までの時間として許容される最大の時間を示す。或いは、「許容レイテンシ」とは、あるアプリケーションがメッセージを相手方へ送信してから、対応するレスポンスを相手方から受信するまでの時間として許容される最大の時間であってもよい。なお、許容レイテンシは、「ｍａｘｉｍｕｍ  ｒｅｓｐｏｎｓｅ  ｔｉｍｅ」又は「ｍａｘｉｍｕｍ  ｌａｔｅｎｃｙ」と称されてもよい。制御部１３０は、例えばアプリケーションサーバに許容レイテンシ情報を通知する。或いは、制御部１３０は、アプリケーションレイヤにより、（例えばアプリケーション毎に）決定された値を許容レイテンシ情報として用いてもよく、当該値は、ＵＥ側アプリケーション（クライアント）と対応するサーバ側アプリケーションとのネゴシエーションによって決定されてもよい。
【０２２１】
さらに、制御部１３０は、許容レイテンシに対して必要とされるページング繰り返し回数及びページング繰り返し期間の少なくとも１つをネットワークにさらに通知してもよい。例えば、許容レイテンシが長い場合、ｅＤＲＸサイクルの設定値も長くできるので、ｅＤＲＸサイクルに基づいた繰り返し回数／期間を通知する。つまり、長い時間スリープ状態であると、クロック精度に応じてウェイクアップする時間にズレが生じることになるため、１時間ならば２回繰り返し、６時間ならば１２回繰り返し、等のように設定する。制御部１３０は、例えば、許容レイテンシに対して必要とされるページング繰り返し回数及びページング繰り返し期間の少なくとも１つをアプリケーションサーバ又はＭＭＥ３００Ｃに通知する。
【０２２２】
（２）第７実施形態に係るネットワーク装置
第７実施形態に係るＭＭＥ３００Ｃ（ネットワーク装置）は、ＵＥ１００から送信されるクロック精度情報を受信し、クロック精度情報に基づいて、ＵＥ１００に対するページング繰り返し回数及びページング繰り返し期間の少なくとも１つを決定する制御部３２０（図５参照）を備える。例えば、制御部３２０は、ＵＥ１００のクロック精度が低いことに応じて、ページング繰り返し回数を増やす、及び／又は、ページング繰り返し期間を延長する。また、制御部１３０は、ＵＥ１００のクロック精度が高いことに応じて、ページング繰り返し回数を減らす、及び／又は、ページング繰り返し期間を短縮する。
【０２２３】
第７実施形態において、制御部３２０は、クロック精度情報と、ＵＥ１００に設定されたｅＤＲＸサイクルと、に基づいて、ページング繰り返し回数及びページング繰り返し期間の少なくとも１つを決定する。例えば、制御部３２０は、クロック精度情報とｅＤＲＸサイクル（例えば、３［Ｈ］）とを乗算することにより、ページング繰り返し回数及びページング繰り返し期間の少なくとも１つを決定する。
【０２２４】
制御部３２０は、クロック精度情報と、ｅＤＲＸサイクルと、ネットワークにおけるセル間の同期精度と、に基づいて、ページング繰り返し回数及びページング繰り返し期間の少なくとも１つを決定してもよい。この場合、制御部３２０は、例えば、セル間の同期精度が低いことに応じて、ページング繰り返し回数を増やす、及び／又は、ページング繰り返し期間を延長する。また、制御部３２０は、セル間の同期精度が高いことに応じて、ページング繰り返し回数を減らす、及び／又は、ページング繰り返し期間を短縮する。なお、制御部３２０は、セル間の同期精度を示す情報をｅＮＢ２００から取得してもよいし、ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）装置から取得してもよい。なお、当該ページング繰り返し回数又は期間は、ＵＥ毎に設定されてもよいし、セル毎に設定されてもよいし、ＵＥ／ネットワークに共通に設定されてもよい。
【０２２５】
制御部３２０は、許容レイテンシに対して必要とされるページング繰り返し回数及びページング繰り返し期間の少なくとも１つがＵＥ１００から通知される場合、当該通知も考慮して、ＵＥ１００に対するページング繰り返し回数及びページング繰り返し期間の少なくとも１つを決定してもよい。
【０２２６】
そして、制御部３２０は、ページング繰り返し回数及びページング繰り返し期間の少なくとも１つをｅＮＢ２００に通知する。制御部３２０は、ＵＥ１００に対するページングメッセージ（Ｓ１ページングメッセージ）をｅＮＢ２００に送信する際に、当該ＵＥ１００に対応するページング繰り返し回数及びページング繰り返し期間の少なくとも１つを当該ページングメッセージに含めてもよい。また、制御部３２０は、ページング繰り返し回数及びページング繰り返し期間の少なくとも１つをＮＡＳメッセージによりＵＥ１００に通知してもよい。
【０２２７】
（３）動作シーケンスの一例
図１８は、第７実施形態に係る動作の一例を示す図である。図１８における破線で示すシグナリングは、オプションであることを意味している。
【０２２８】
図１８に示すように、ステップＳ７０１において、ｅＮＢ２００は、セル間の同期精度を示す情報をＭＭＥ３００Ｃに送信する。ＭＭＥ３００Ｃは、セル間の同期精度を示す情報を受信する。
【０２２９】
ステップＳ７０２において、ＵＥ１００は、クロック精度情報をＭＭＥ３００Ｃに通知する。ＵＥ１００がクロック精度情報をｅＮＢ２００に送信し、ｅＮＢ２００がクロック精度情報をＭＭＥ３００Ｃに転送することにより、クロック精度情報をＭＭＥ３００Ｃに通知してもよい。
【０２３０】
ステップＳ７０３において、ＭＭＥ３００Ｃは、クロック精度情報と、ｅＤＲＸサイクルと、セル間の同期精度と、に基づいて、ページング繰り返し回数及びページング繰り返し期間の少なくとも１つを決定する。
【０２３１】
ステップＳ７０４において、ＭＭＥ３００Ｃは、ページング繰り返し回数及びページング繰り返し期間の少なくとも１つをＵＥ１００に通知する。ここで、ＭＭＥ３００Ｃは、ｅＤＲＸの設定情報（ｅＤＲＸサイクル等）もＵＥ１００に通知してもよい。ＵＥ１００は、ＭＭＥ３００Ｃから通知された情報を記憶し、記憶した情報をページング受信時に使用する。
【０２３２】
その後、ステップＳ７０５において、ＭＭＥ３００Ｃは、ＵＥ１００に対するページングの必要が生じたことに応じて、ＵＥ１００宛てのページングメッセージ（Ｓ１ページングメッセージ）をｅＮＢ２００に送信する。具体的には、ＭＭＥ３００Ｃは、ＵＥ１００が在圏するトラッキングエリアを構成するセルを管理するｅＮＢ２００に対して、当該ＵＥ１００宛てのページングメッセージを送信する。ここで、ＭＭＥ３００Ｃは、ステップＳ７０３で決定したページング繰り返し回数及びページング繰り返し期間の少なくとも１つをページングメッセージに含める。ｅＮＢ２００は、ＭＭＥ３００Ｃからページングメッセージを受信する。
【０２３３】
ステップＳ７０６において、ｅＮＢ２００は、ページングメッセージに含まれるページング繰り返し回数及びページング繰り返し期間の少なくとも１つに従って、ページングの繰り返し送信（ｒｅｐｅｔｉｔｉｏｎ）を行う。
【０２３４】
このように、第７実施形態によれば、ＭＭＥ３００Ｃは、ＵＥ１００のクロック精度を考慮して、ページング繰返し回数及びページング繰返し期間の少なくとも１つを適切に決定することができる。
【０２３５】
なお、ステップＳ７０５においてページングメッセージを用いる一例を示したが、これに限らない。特に、当該ページング繰り返し回数又は期間がセル単位もしくはネットワーク単位で設定されている場合（つまり、ＵＥ毎に個別の設定値を持たない場合）、当該ページング繰り返し回数又は期間は、Ｓ１  ＳＥＴＵＰ、ｅＮＢ  Ｃｏｎｆｉｇｕｒａｔｉｏｎ  Ｕｐｄａｔｅ、ＭＭＥ  Ｃｏｎｆｉｇｕｒａｔｉｏｎ  Ｕｐｄａｔｅ等の非ＵＥ固有メッセージを用いてＭＭＥ３００Ｃ・ｅＮＢ２００間で通知されてもよい。また、ｅＮＢ２００は、ページング繰り返し回数又は期間をＳＩＢ（Ｓｙｓｔｅｍ  Ｉｎｆｏｒｍａｔｉｏｎ  Ｂｌｏｃｋ）等でＵＥ１００に通知してもよい。
【０２３６】
［第７実施形態の変更例］
第７実施形態において、ページング繰返し回数及びページング繰返し期間の少なくとも１つをＭＭＥ３００Ｃが決定する一例を説明した。しかしながら、ＭＭＥ３００Ｃに代えて、ページング繰返し回数及びページング繰返し期間の少なくとも１つをｅＮＢ２００が決定してもよい。ｅＮＢ２００は、ＭＭＥ３００Ｃに代わって、ＵＥ１００のクロック精度に少なくとも基づいてページング繰返し回数及びページング繰返し期間の少なくとも１つを決定する。
【０２３７】
［第８実施形態］
以下において、第８実施形態について、第１実施形態乃至第７実施形態との相違点を主として説明する。第８実施形態において、第６実施形態で説明したＨ−ＳＦＮベースのアイドルモードｅＤＲＸを主として想定する。
【０２３８】
第８実施形態は、第５実施形態の変更例に係る実施形態である。第５実施形態において、ｅＤＲＸ動作がサポートされないセルにＵＥ１００が在圏する、すなわち、当該セルを管理するｅＮＢ２００がｅＤＲＸに対応していない場合、ＵＥ１００は、ｅＤＲＸ動作を中止して、通常のＤＲＸ動作を適用していた。
【０２３９】
しかしながら、ｅＤＲＸ動作を中止すると、ｅＤＲＸによる省電力効果を得ることができない。また、ＵＥ１００がＭＭＥ３００ＣにｅＤＲＸ適用解除の通知を行わずにｅＤＲＸ動作を中止する場合、ＭＭＥ３００ＣがｅＤＲＸ用のページング処理を継続する。このような状況下でＵＥ１００が通常のＤＲＸ動作を行うと、必要以上にＵＥ１００がウェイクアップすることになり、省電力の観点から好ましくない。
【０２４０】
（１）第８実施形態に係る無線端末
第８実施形態に係るＵＥ１００（無線端末）は、アイドルモードにおいて、ｅＤＲＸサイクルが適用されないＤＲＸ動作（通常のＤＲＸ動作）及び拡張ＤＲＸサイクルが適用されるｅＤＲＸ動作のうち一の動作を行う制御部１３０を備える（図３参照）。ｅＤＲＸ動作がサポートされないエリアにＵＥ１００が在圏する場合、制御部１３０は、ｅＤＲＸ動作を適用せずに、ＭＭＥ３００Ｃ（モビリティ管理装置）により設定された特定の省電力動作を行う。
【０２４１】
ここで「エリア」とは、「セル」であってもよいし、「トラッキングエリア」であってもよい。なお、トラッキングエリアは、複数のセルからなり、位置登録を行うエリアの単位である。各セルは、自セルが属するトラッキングエリアの識別子をＳＩＢ等によりブロードキャストする。制御部１３０は、自ＵＥ１００が在圏するトラッキングエリアが変化すると、トラッキングエリアアップデート（ＴＡＵ）をＭＭＥ３００Ｃに通知する。
【０２４２】
第８実施形態において、ＭＭＥ３００Ｃにより設定される特定の省電力動作は、ＮＡＳの仕様で規定されたＰＳＭ（Ｐｏｗｅｒ  Ｓａｖｉｎｇ  Ｍｏｄｅ）である。このように、ｅＤＲＸ動作がサポートされないエリアにおいて、通常のＤＲＸ動作ではなくＰＳＭを適用することにより、通常のＤＲＸ動作を行う場合に比べて大きな省電力効果を得ることができる。
【０２４３】
ＰＳＭの概要について説明する。まず、ＭＭＥ３００ＣとＵＥ１００との間のネゴシエーションにより、「ａｃｔｉｖｅ  ｔｉｍｅｒ」（Ｔ３３２４）がＭＭＥ３００ＣからＵＥ１００に設定される。ＵＥ１００は、ＲＲＣ接続の解放時に「ａｃｔｉｖｅ  ｔｉｍｅｒ」を開始させる。ＭＭＥ３００ＣもＵＥ１００と同様にして「ａｃｔｉｖｅ  ｔｉｍｅｒ」を管理する。ＵＥ１００は、データ通信（例えば、ページング）無しに「ａｃｔｉｖｅ  ｔｉｍｅｒ」が満了すると、ＰＳＭを適用する。そして、ＰＳＭが適用されると、ＵＥ１００は、ＰＳＭ用のタイマ（Ｔ３４１２）を開始させる。タイマ（Ｔ３４１２）も「ａｃｔｉｖｅ  ｔｉｍｅｒ」と同様にネゴシエーションにより決定されてもよい。ＭＭＥ３００ＣもＵＥ１００と同様にしてタイマ（Ｔ３４１２）を管理する。ＵＥ１００は、タイマ（Ｔ３４１２）が動作（ｒｕｎｎｉｎｇ）している間、スリープ状態（超低消費電力動作）となる。タイマ（Ｔ３４１２）の最大値は、１２．１日である。ＵＥ１００は、タイマ（Ｔ３４１２）が満了した時に、ＴＡＵプロシージャを行う。このように、ＰＳＭは、ＵＥ１００とＭＭＥ３００Ｃとの間で省電力動作が行われるため、ｅＮＢ２００が特別な処理を行うことを必要としない。
【０２４４】
制御部１３０は、ｅＮＢ２００との通信を行うＡＳエンティティ１００ａと、モビリティ管理装置との通信を行うＮＡＳエンティティ１００ｂと、を含む（図１９参照）。第８実施形態において、ＡＳエンティティ１００ａは、ＵＥ１００が在圏するエリアがｅＤＲＸ動作をサポートするか否かをＮＡＳエンティティ１００ｂに通知する。なお、ＵＥ１００が在圏するエリアがｅＤＲＸ動作をサポートするか否かの判定方法については、第５実施形態と同様である。
【０２４５】
ｅＤＲＸ動作がサポートされないエリアにＵＥ１００が在圏し、かつ、ＵＥ１００にｅＤＲＸ動作が設定されている場合、ＡＳエンティティ１００ａは、ｅＤＲＸ動作がサポートされないエリアにＵＥ１００が在圏することをＮＡＳエンティティ１００ｂに通知してもよい。一方、ＵＥ１００にｅＤＲＸ動作が設定されていない場合には、ＡＳエンティティ１００ａは、ｅＤＲＸ動作がサポートされないエリアにＵＥ１００が在圏しても、ＮＡＳエンティティ１００ｂに通知を行わなくてもよい。つまり、ｅＤＲＸ動作がサポートされないエリアにＵＥ１００が在圏することの通知は、ｅＤＲＸ（サイクル）がＵＥ１００に設定されている場合のみに限定してもよい。
【０２４６】
ＮＡＳエンティティ１００ｂは、ｅＤＲＸ動作がサポートされないエリアにＵＥ１００が在圏することをＡＳエンティティ１００ａから通知された場合、第１の処理又は第２の処理を行う。第１の処理は、ｅＤＲＸ動作がサポートされないエリアにＵＥ１００が在圏することをＭＭＥ３００Ｃに通知する処理である。第２の処理は、ＰＳＭの設定をＭＭＥ３００Ｃに要求する処理である。第１の処理によれば、ＰＳＭを設定するようＭＭＥ３００Ｃに促すことができる。第２の処理によれば、ＰＳＭを設定するようＭＭＥ３００Ｃに要求することができる。第１の処理又は第２の処理において、上述したタイマ（Ｔ３３２４、Ｔ３４１２）の要求値又はこれらの設定に必要な情報をＭＭＥ３００Ｃに通知してもよい。ＡＳエンティティ１００ａの視点からは、ｅＤＲＸ動作がサポートされないエリアにＵＥ１００が在圏することをＮＡＳエンティティ１００ｂに通知することにより、ＮＡＳエンティティ１００ｂによるＰＳＭの設定を期待することができる。
【０２４７】
ＮＡＳエンティティ１００ｂは、ＭＭＥ３００Ｃにトラッキングエリアアップデート（ＴＡＵ）を通知する際に、第１の処理又は第２の処理を行ってもよい。このような動作は、ｅＤＲＸ動作のサポート有無がトラッキングエリア単位で設定される場合に特に好適である。具体的には、ＡＳエンティティ１００ａは、ｅＤＲＸ動作がサポートされないトラッキングエリアにＵＥ１００が在圏すると判定した場合に、第１の処理による通知又は第２の処理による要求をＴＡＵメッセージに含める。
【０２４８】
上記のような動作は、ＵＥ１００に未だＰＳＭが設定されていないことを前提としているが、ＵＥ１００に既にＰＳＭが設定されている場合には、以下のような動作を行う。
【０２４９】
ｅＤＲＸ動作がサポートされるエリアにＵＥ１００が在圏し、かつ、ＵＥ１００にＰＳＭが設定されている場合、ＡＳエンティティ１００ａは、ｅＤＲＸ動作がサポートされるエリアにＵＥ１００が在圏することをＮＡＳエンティティ１００ｂに通知する。一方、ＵＥ１００にＰＳＭが設定されていない場合には、ＡＳエンティティ１００ａは、ｅＤＲＸ動作がサポートされるエリアにＵＥ１００が在圏しても、ＮＡＳエンティティ１００ｂに通知を行わなくてもよい。つまり、ｅＤＲＸ動作がサポートされるエリアにＵＥ１００が在圏することの通知は、ＰＳＭがＵＥ１００に設定されている場合のみに限定してもよい。
【０２５０】
ＮＡＳエンティティ１００ｂは、ｅＤＲＸ動作がサポートされるエリアにＵＥ１００が在圏することをＡＳエンティティ１００ａから通知された場合、第３の処理又は第４の処理を行ってもよい。第３の処理は、ｅＤＲＸ動作がサポートされるエリアにＵＥ１００が在圏することをＭＭＥ３００Ｃに通知する処理である。第４の処理は、ｅＤＲＸ動作の設定をＭＭＥ３００Ｃに要求する処理である。第３の処理によれば、ＰＳＭ及びｅＤＲＸ動作のどちらが適切かの判断をＭＭＥ３００Ｃに促すことができる。第４の処理によれば、ｅＤＲＸを設定するようＭＭＥ３００Ｃに要求することができる。第３の処理又は第４の処理において、ｅＤＲＸサイクルの要求値、ページング繰り返し時間／期間の要求値、許容レイテンシの要求値等、又は、これらの設定に必要な情報をＭＭＥ３００Ｃに通知してもよい。
【０２５１】
ＮＡＳエンティティ１００ｂは、ＭＭＥ３００Ｃにトラッキングエリアアップデートを通知する際に、第３の処理又は第４の処理を行ってもよい。このような動作は、ｅＤＲＸ動作のサポート有無がトラッキングエリア単位で設定される場合に特に好適である。具体的には、ＡＳエンティティ１００ａは、ｅＤＲＸ動作がサポートされるトラッキングエリアにＵＥ１００が在圏すると判定した場合に、第３の処理による通知又は第４の処理による要求をＴＡＵメッセージに含める。
【０２５２】
（２）動作シーケンスの一例
図１９は、第８実施形態に係る動作の一例を示す図である。図１９における破線で示す処理及びシグナリングは、オプションであることを意味している。
【０２５３】
図１９に示すように、ステップＳ８０１において、ＡＳエンティティ１００ａは、ｅＤＲＸ又はＰＳＭが設定（ｃｏｎｆｉｇｕｒｅ）されているか否かを確認する。
【０２５４】
ｅＤＲＸ又はＰＳＭが設定されている場合（ステップＳ８０１：Ｙｅｓ）、ステップＳ８０２において、ＡＳエンティティ１００ａは、自ＵＥ１００が在圏するセル（ｅＮＢ２００）から特定のＳＩＢ（又はＭＩＢ）を受信する。
【０２５５】
ステップＳ８０３において、ＡＳエンティティ１００ａは、受信した特定のＳＩＢ（又はＭＩＢ）にＨ−ＳＦＮが含まれているか否かを確認する。
【０２５６】
受信した特定のＳＩＢ（又はＭＩＢ）にＨ−ＳＦＮが含まれていない場合（ステップＳ８０３：Ｎｏ）、ＡＳエンティティ１００ａは、当該セルがｅＤＲＸ動作をサポートしないと判断し、ステップＳ８０５において、ｅＤＲＸ動作がサポートされないセル（Ｏｕｔ  ｏｆ  ｅＤＲＸ  ｓｕｐｐｏｒｔｉｎｇ  ｃｅｌｌ）にＵＥ１００が在圏することをＮＡＳエンティティ１００ｂに通知する。
【０２５７】
一方、受信した特定のＳＩＢ（又はＭＩＢ）にＨ−ＳＦＮが含まれている場合（ステップＳ８０３：Ｙｅｓ）、ＡＳエンティティ１００ａは、当該セルがｅＤＲＸ動作をサポートすると判断し、ステップＳ８０４において、ｅＤＲＸ動作がサポートされるセル（ｅＤＲＸ  ｓｕｐｐｏｒｔｉｎｇ  ｃｅｌｌ）にＵＥ１００が在圏することをＮＡＳエンティティ１００ｂに通知する。
【０２５８】
ステップＳ８０６において、ＮＡＳエンティティ１００ｂは、ｅＤＲＸ又はＰＳＭが設定（ｃｏｎｆｉｇｕｒｅ）されているか否かを確認する。
【０２５９】
ｅＤＲＸ又はＰＳＭが設定されている場合（ステップＳ８０６：Ｙｅｓ）、ステップＳ８０７において、ＮＡＳエンティティ１００ｂは、上述した第１の処理乃至第４の処理のうち適切な処理を行う。当該処理による通知又は要求は、ＴＡＵメッセージによりＭＭＥ３００Ｃに送信されてもよい。
【０２６０】
ステップＳ８０８において、ＭＭＥ３００Ｃは、ＮＡＳエンティティ１００ｂからの通知又は要求に応じて、ｅＤＲＸ又はＰＳＭを選択（ｃｈｏｉｃｅ）する。また、ＭＭＥ３００Ｃは、ｅＤＲＸ及びＰＳＭのうち選択した省電力動作のための設定（ｃｏｎｆｉｇｕｒａｔｉｏｎ）を決定する。
【０２６１】
ステップＳ８０９において、ＭＭＥ３００Ｃは、ｅＤＲＸ及びＰＳＭのうち選択した省電力動作の再設定（ｒｅｃｏｎｆｉｇｕｒａｔｉｏｎ）をＮＡＳエンティティ１００ｂに対して行う。
【０２６２】
［第８実施形態の変更例］
第８実施形態において、ＭＭＥ３００Ｃにより設定される特定の省電力動作がＰＳＭである一例を説明した。しかしながら、ＭＭＥ３００Ｃにより設定される特定の省電力動作は、ＰＳＭに限定されない。
【０２６３】
本変更例において、ＭＭＥ３００Ｃにより設定される特定の省電力動作は、ｅＤＲＸサイクル及び通常のＤＲＸサイクルとは異なる特別なＤＲＸサイクルを用いる特別なＤＲＸ動作である。当該特別なＤＲＸサイクルは、ＭＭＥ３００Ｃにより設定される。特別なＤＲＸサイクルは、通常のＤＲＸサイクルよりも長く、かつ、ｅＤＲＸサイクルよりも短くてもよい。このように、ｅＤＲＸ動作がサポートされないエリアにおいて、通常のＤＲＸ動作ではなく特別なＤＲＸ動作を適用することにより、通常のＤＲＸ動作を行う場合に比べて大きな省電力効果を得ることができる。
【０２６４】
特別なＤＲＸ動作は、Ｈ−ＳＦＮを使用せずに、通常のＤＲＸ動作よりも長時間のＤＲＸサイクル（特別なＤＲＸサイクル）を可能とする。特別なＤＲＸサイクルは例えばタイマ値として規定され、当該タイマ値はＵＥ１００及びＭＭＥ３００Ｃが共有する。ＵＥ１００は、当該タイマが動作中（ｒｕｎｎｉｎｇ）である間はスリープ状態となる。ＵＥ１００は、ｅＤＲＸ動作がサポートされないエリアにおいてスリープ状態に遷移する際に、当該タイマを起動することにより、特別なＤＲＸサイクルの適用を開始する。ＵＥ１００は、当該タイマが満了した際にウェイクアップする。
【０２６５】
なお、特別なＤＲＸサイクルは、トラッキングエリア単位で設定されてもよい。例えば、ｅＤＲＸ対応（サポート）トラッキングエリアとｅＤＲＸ未対応（非サポート）トラッキングエリアというように、ｅＤＲＸの対応可否をトラッキングエリア単位で管理する場合において、事前にＭＭＥ３００Ｃから特別なＤＲＸサイクルの設定値をトラッキングエリア単位でＵＥ１００に通知する。これにより、ＵＥ１００は、特に新たな設定を行う必要なく、当該トラッキングエリアにて特別なDRXサイクルの適用を開始することができる。この場合、一部のトラッキングエリアについては、通常のＤＲＸサイクルが適用される設定としてもよい。
【０２６６】
［その他の実施形態］
上述した各実施形態を別個独立に実施するだけではなく、２以上の実施形態を組み合わせて実施可能である。例えば、一の実施形態の一部を他の実施形態の一部と組み合わせてもよい。
【０２６７】
上述した各実施形態において、移動通信システムとしてＬＴＥシステムを例示した。しかしながら、本発明はＬＴＥシステムに限定されない。ＬＴＥシステム以外の移動通信システムに本発明を適用してもよい。
【０２６８】
［付記１］
１．  はじめに
第９０回ＲＡＮ２では、ＬＴＥにおける拡張ＤＲＸのためのＲＡＮ強化についての話し合いが始められ、アイドルモード拡張ＤＲＸ（ｅＤＲＸ）の概要が以下のとおり合意された：
合意：  アイドルモードに対して、ＲＡＮ２は、ＤＲＸが１０．２４秒という現行のＳＦＮ限界を超えて拡張されるべきである、と合意する。ＲＡＮ２の観点から、分の程度でＤＲＸサイクルを増加させる消費電力節約メリットを見込む。何分であるかは、将来の研究課題である。［・・・］
アイドルモードに対して：  ＵＥがいつウェイクアップすべきかをどのように（ハイパーＳＦＮもしくはタイマに基づくメカニズムのいずれかを使用して）決めるかは、将来の研究課題である。ＵＥがウェイクアップすると、ＵＥは、レガシーＤＲＸ計算式／サイクルに基づいてＰＦ／ＰＯを決定する（すなわち、ページングオケージョン計算の変化なし）。ページング信頼度を改善するために、ページングメッセージは、一定の時間ウィンドウの間にレガシーＤＲＸ計算式を使用して決定された様々なページングオケージョンに繰り返される可能性がある。ＵＥがページングメッセージを監視すべき時間をどのように決定するかは、将来の研究課題である。
【０２６９】
本付記では、拡張ＤＲＸサイクルを用いて設定されたＵＥのアイドルモード挙動について考察する。
【０２７０】
２．  考察
２．１  ｅＤＲＸの設定
ＳＡ２における技術報告書によれば、ＮＡＳ  ＭＭメッセージがアイドルモードｅＤＲＸ値割り当てのため、すなわち、ＮＡＳ  ＭＭメッセージを使用する拡張ＤＲＸ値割り当てのため使用される、と結論付けられた。ＵＥ挙動の観点から、ＵＥは、ＮＡＳによってＡＳにアイドルモードｅＤＲＸ値が割り当てられたとき、ページング受信プロシージャにアイドルモードｅＤＲＸ動作を適用すべきである。
【０２７１】
よって、アイドルモードＵＥは、ＮＡＳによってＡＳに拡張ＤＲＸ値が割り当てられたとき、ページング受信プロシージャに拡張ＤＲＸを適用すべきである。
【０２７２】
ｅＤＲＸを用いる実際の動作では、ＵＥは、ウェイクアップしたとき、レガシーＤＲＸ計算式／サイクルに基づいてＰＦ／ＰＯを決定することが必要である。従って、ＵＥは、拡張ＤＲＸ値に加えて、レガシーＤＲＸパラメータを知っているべきである。現行の仕様では、特に、ＤＲＸサイクルのためのレガシーＤＲＸパラメータは、ＮＡＳもしくはｅＮＢのいずれかによって設定されることがあり得るとともに、Ｔは、最短のＤＲＸサイクルによって決定される。ＣＮ固有ＤＲＸサイクルが単に拡張ＤＲＸサイクルを設けるためだけに拡張されることを仮定することは、当然であるが、実際には、ＣＮ固有ＤＲＸサイクルがどのように定義されるべきであるかは、他の作業部会次第であるので、他の作業部会の仕様に変更が適用された場合に、現行のアイドルモード仕様がそれでもなおうまく機能するか否かは、不明確である。他方では、レガシーＰＦ／ＰＯが合意のとおりページング信頼度を改善するためにページングメッセージの繰り返しのため使用される、と仮定すると、レガシーＰＦ／ＰＯを決定するために使用されるレガシーＤＲＸパラメータは、ＲＡＮ固有設定であると見なされることがあり得る。従って、レガシーＰＦ／ＰＯの決定のため、ＵＥは、ＳＩＢの中に設けられたＤＲＸパラメータ、すなわち、ｐｃｃｈ−Ｃｏｎｆｉｇだけを使用すべきである。換言すれば、仕様は、ＭＭＥによって供給された（拡張）ＤＲＸパラメータがレガシーＰＦ／ＰＯ計算のため無視されるべきであり、拡張ＤＲＸ固有プロシージャに限り考慮されるべきであることを保証するように定義されるべきである。この仮定は、ＭＭＥがＣＮ固有ＤＲＸサイクルとして拡張ＤＲＸサイクルだけを供給する場合、現行の仕様と矛盾しない。
【０２７３】
拡張ＤＲＸが適用された場合、レガシーＰＦ／ＰＯは、ＭＭＥによって何らかの設定が供給されるか否かとは無関係に、ＳＩＢの中に設けられたＰＣＣＨ設定を用いて計算されるべきである。
【０２７４】
ｐｃｃｈ−ＣｏｎｆｉｇにおけるｄｅｆａｕｌｔＰａｇｉｎｇＣｙｃｌｅに関して、値の範囲は、ｒｆ３２からｒｆ２５６までである。このことは、合意において既に暗示されているかもしれないが、ＩＥの目的は、レガシーＰＦ／ＰＯの計算だけを対象にするので、ｄｅｆａｕｌｔＰａｇｉｎｇＣｙｃｌｅの値の範囲がｅＤＲＸのため拡張される必要がないことは、明確にされるべきである。
【０２７５】
既存のｄｅｆａｕｌｔＰａｇｉｎｇＣｙｃｌｅの範囲は、拡張される必要がないことが明確にされるべきである。
【０２７６】
２．２  ページング受信プロシージャ
２．２．１  レガシーＰＦ／ＰＯ関連動作
ｅＤＲＸを導入する動機付けは、ＵＥ消費電力を削減することであることが明らかである。このようにして、ページング受信のためのウェイクアップの周期／回数は、最小化されるべきである。現行の仕様では、ＵＥは、ＤＲＸサイクル１つ当たりに１つのＰＯを監視することだけが必要である。ｅＤＲＸを用いるアイドルモードに対しても、同じ原理が電力削減メリットを最大化するために適用されるべきであるが、ページングメッセージは、一定のウィンドウに繰り返される可能性がある。たとえば、ウィンドウに１０．２４［秒］が設定され、ｄｅｆａｕｌｔＰａｇｉｎｇＣｙｃｌｅがｒｆ２５６を用いて設定された場合、ウィンドウの範囲内のページングオケージョンの回数は、４回であり、すなわち、ｅＮＢは、Ｓ１  ＰＡＧＩＮＧが予め受信された場合、ページングメッセージ送信を４回繰り返すことがある。ＵＥの観点から、ウィンドウの範囲内で１度だけ、すなわち、ページングオケージョンのただ１つのサブフレームにおいてウェイクアップすれば足りるべきである。ページングがページングオケージョンに送信／受信されない場合、ＵＥは、単一のページングオケージョンの直後にスリープに入ることがある。ＳＩＢ更新が起こるときにページング受信より前にＳＩＢを取得する時／方法は、ＵＥ実装次第でなくてはならない。ＵＥは、拡張スリープからウェイクアップしたとき、拡張ＤＲＸサイクル１つ当たり一定のウィンドウの範囲内で１つのレガシーページングオケージョンを監視することだけが要求されるべきである。
【０２７７】
ページング繰り返しの回数に関して、ＵＥの最大時間ドリフトは、拡張ＤＲＸサイクルが１時間であると仮定されるとしても、クロックドリフトが５０［ｐｐｍ］である１８０［ミリ秒］、すなわち、１８無線フレームであることが指摘されている。これは、それでもなお、ｄｅｆａｕｌｔＰａｇｉｎｇＣｙｃｌｅの最小値、すなわち、ｒｆ３２の範囲内である。従って、ページングメッセージがＵＥにおいて最悪状況の時間ドリフトを取り扱うために少なくとも１回のページングオケージョンにおいて繰り返される。
【０２７８】
ｅＤＲＸサイクルが１時間であるＵＥのクロックドリフトは、少なくとも１つのページングオケージョンにおいてページングメッセージの繰り返しによって許容できる。
【０２７９】
しかしながら、ｅＮＢ群の間のＳＦＮのずれ、Ｓ１インターフェイスのレイテンシ、ＳＩスケジューリングなどのような他の要因がページング信頼度に潜在的に影響を与えることがある。これらの要因は、ＵＥによって説明できないので、ＮＷは、これを考慮に入れ、たとえば、ページング繰り返しの回数を増加することによって、もしくは、オフセットをページングスタートに適用することによって、ＵＥがウェイクアップしたとき、ＵＥのページング受信を促進すべきである。
【０２８０】
ＮＷは、十分なページング信頼度を確保するためにページングオケージョン／繰り返しをＵＥのウェイクアップタイミングに調整すべきである。
【０２８１】
合意可能である場合、ＵＥは、該当するページングオケージョンが出現すると考えるときにウェイクアップすることだけが必要である。従って、ＵＥは、ウィンドウについて知らされる必要がない。
【０２８２】
ＵＥは、ページングメッセージが繰り返されることがあるウィンドウに気付く必要がない。
【０２８３】
２．２．２  ｅＤＲＸサイクルの決定
主要な未解決の問題のうち１つは、ｅＤＲＸサイクルがハイパーＳＦＮメカニズムによって決定されるか、もしくは、タイマに基づくメカニズムによって決定されるかについて結論を出すことである。両方のメカニズムの良い点および悪い点が広範囲に亘って考察されている。ハイパーＳＦＮメカニズムは、これの決定論的なページングオケージョンに起因してより多くのページング容量を提供するものであるが、このメカニズムは、ｅＮＢ群の間のネットワーク同期を要求するであろう。他方では、タイマに基づくメカニズムは、レガシーおよび／または非同期ｅＮＢ群とさえ協働することがあるが、このメカニズムは、新しいＵＥ挙動を含む新しい概念であるため、より多くの標準化および／または実装努力を必要とすることがある。
【０２８４】
ＮＷ実装の観点から、Ｒｅｌ−１３は、新しいＮＷ挙動、すなわち、ページングメッセージ繰り返しを導入することに既に決定している。しかしながら、レガシーｅＮＢ群は、ページング繰り返しが、たとえ、現行の仕様において明示的に禁止されていなかったとしても、多くのＮＷ実装においてサポートされていなかったため、ページング信頼度を確保するために使用されないことがある。従って、レガシーｅＮＢ群は、ハイパーＳＦＮメカニズムが導入されているか、もしくは、タイマに基づくメカニズムが導入されているかとは無関係に、ｅＤＲＸ機能性をサポートして十分なページング信頼度を確保するためにアップグレードされる必要がない。
【０２８５】
レガシーｅＮＢ実装は、たとえ、タイマに基づくメカニズムが適用されるとしても十分なページング信頼度を確保しないことがある。
【０２８６】
ＵＥ実装の観点から、ＵＥがウェイクアップすべきとき、すなわち、ＵＥがスリープ中にタイマを起動するときを決定するために内部タイマが使用され、タイマが切れるとき、ＵＥは、ｅＤＲＸサイクルが完了した、と考える。ＵＥは、ｅＤＲＸサイクルにおいてシステムパラメータをチェックするために／システムパラメータと同期するために不必要なウェイクアップを回避することができるので、消費電力が最小化されることがある。現行のＵＥ実装は、タイマに基づくメカニズムとより一層協調させられる。従って、タイマに基づくメカニズムは、ネットワークがページングの調整を含んでＵＥとの同期を確保する限り、ＵＥに対してより一層簡単なメカニズムでもよい。現行のＵＥ実装は、タイマに基づくメカニズムとうまく協調させられる。
【０２８７】
［付記２］
１．  はじめに
第９０回ＲＡＮ２では、ＬＴＥにおける拡張ＤＲＸのためのＲＡＮ強化についての話し合いが始められ、アイドルモード拡張ＤＲＸ（ｅＤＲＸ）の概要が以下のとおり合意された：
合意：  アイドルモードに対して、ＲＡＮ２は、ＤＲＸが１０．２４秒という現行のＳＦＮ限界を超えて拡張されるべきである、と合意する。ＲＡＮ２の観点から、分の程度でＤＲＸサイクルを増加させる消費電力節約メリットを見込む。何分であるかは、将来の研究課題である。［・・・］
アイドルモードに対して：  ＵＥがいつウェイクアップすべきかをどのように（ハイパーＳＦＮもしくはタイマに基づくメカニズムのいずれかを使用して）決めるかは、将来の研究課題である。ＵＥがウェイクアップすると、ＵＥは、レガシーＤＲＸ計算式／サイクルに基づいてＰＦ／ＰＯを決定する（すなわち、ページングオケージョン計算の変化なし）。ページング信頼度を改善するために、ページングメッセージは、一定の時間ウィンドウの間にレガシーＤＲＸ計算式を使用して決定された様々なページングオケージョンに繰り返される可能性がある。ＵＥがページングメッセージを監視すべき時間をどのように決定するかは、将来の研究課題である。
【０２８８】
以下の第９１回ＲＡＮ２では、ｅＤＲＸの基本的な仮定に重要な進捗が行われた：
合意
電力節約メリットを改善するために、ＵＥは、上りリンクシグナリング（すなわち、Ｈ−ＳＦＮもしくは時間クロックブロードキャスト情報）を送信することなくＲＡＮを用いてＵｕを介して再同期できるべきである。
【０２８９】
Ｈ−ＳＦＮに基づくページングは、ＲＡＮにおいて採用されるものである。
【０２９０】
ＲＡＮ２は、ページングメッセージをｅＮＢに記憶することを最小限に抑える、もしくは、回避することが望ましいであろう、と合意した。ページングメッセージの記憶を回避することは、ＵＥが連絡可能になるおおよその時間をＭＭＥがある程度認識することを要求するであろう。これがどのようにして達成されるかは、ＳＡ２次第である。
【０２９１】
モバイルＵＥ群のページング頑健性の目的のため、セル間の多少のＨ−ＳＦＮ同期外れが要求されることがある。
【０２９２】
加えて、ｅＤＲＸおよびＨ−ＳＦＮの範囲と、ＳＩアップデートを取り扱う方法とについて議論するであろう。本付記では、これまでに話し合われていないが、アイドルモードＵＥ挙動に関して重要である他の態様について検討する。
【０２９３】
２．  考察
２．１  ｅＤＲＸの設定
ＳＡ２における技術報告書によれば、ＮＡＳ  ＭＭメッセージは、アイドルモードｅＤＲＸ値割り当てのため、すなわち、ＮＡＳ  ＭＭメッセージを使用する拡張ＤＲＸ値割り当てのため使用される、と結論付けられた。ＵＥ挙動の観点から、ＵＥは、ＮＡＳによってＡＳにアイドルモードｅＤＲＸ値が割り当てられたとき、ページング受信プロシージャにアイドルモードｅＤＲＸ動作を適用すべきである。
【０２９４】
提案１：  アイドルモードＵＥは、ＮＡＳによってＡＳに拡張ＤＲＸ値が割り当てられたとき、ページング受信プロシージャに拡張ＤＲＸを適用すべきである。
【０２９５】
ｅＤＲＸを用いる実際の動作では、ＵＥは、ウェイクアップしたとき、レガシーＤＲＸ計算式／サイクルに基づいてＰＦ／ＰＯを決定することが必要である。従って、ＵＥは、拡張ＤＲＸ値に加えて、レガシーＤＲＸパラメータを知っているべきである。現行の仕様では、特に、ＤＲＸサイクルのためのレガシーＤＲＸパラメータは、ＮＡＳもしくはｅＮＢのいずれかによって設定されることがあり得るとともに、Ｔは、最短のＤＲＸサイクルによって決定される。ＣＮ固有ＤＲＸサイクルが単に拡張ＤＲＸサイクルを設けるためだけに拡張されることを仮定することは、当然であるが、実際には、ＣＮ固有ＤＲＸサイクルがどのように定義されるべきであるかは、他の作業部会次第であるので、他の作業部会の仕様に変更が適用された場合に、現行のアイドルモード仕様がそれでもなお巧く機能するか否かは、不明確である。他方では、レガシーＰＦ／ＰＯが合意のとおりページング信頼度を改善するためにページングメッセージの繰り返しのため使用される、と仮定すると、レガシーＰＦ／ＰＯを決定するために使用されるレガシーＤＲＸパラメータは、ＲＡＮ固有設定であると見なされることがあり得る。従って、レガシーＰＦ／ＰＯの決定のため、ＵＥは、ＳＩＢの中に設けられたＤＲＸパラメータ、すなわち、ｐｃｃｈ−Ｃｏｎｆｉｇだけを使用すべきである。換言すれば、仕様は、ＭＭＥによって供給された（拡張）ＤＲＸパラメータがレガシーＰＦ／ＰＯ計算のため無視されるべきであり、拡張ＤＲＸ固有プロシージャに限り考慮されるべきであることを保証するように定義されるべきである。この仮定は、ＭＭＥがＣＮ固有ＤＲＸサイクルとして拡張ＤＲＸサイクルだけを供給する場合、現行の仕様と矛盾しない。
【０２９６】
提案２：  拡張ＤＲＸが適用された場合、レガシーＰＦ／ＰＯは、ＭＭＥによって何らかの設定が供給されるか否かとは無関係に、ＳＩＢの中に設けられたＰＣＣＨ設定を用いて計算されるべきである。
【０２９７】
ｐｃｃｈ−ＣｏｎｆｉｇにおけるｄｅｆａｕｌｔＰａｇｉｎｇＣｙｃｌｅに関して、値の範囲は、ｒｆ３２からｒｆ２５６までである。このことは、合意において既に暗示されているかもしれないが、ＩＥの目的は、０において提言されたようにレガシーＰＦ／ＰＯの計算だけを対象にするので、ｄｅｆａｕｌｔＰａｇｉｎｇＣｙｃｌｅの値の範囲がｅＤＲＸのため拡張される必要がないことは、明確にされるべきである。
【０２９８】
提案３：  既存のｄｅｆａｕｌｔＰａｇｉｎｇＣｙｃｌｅの範囲は、拡張される必要がないことが明確にされるべきである。
【０２９９】
２．２．  ページング受信プロシージャ
２．２．１．  レガシーＰＦ／ＰＯ関連動作
現在のところ、「ＵＥがページングメッセージを監視すべき時間をどのように決定するか」は、依然として将来の研究課題である。ｅＤＲＸを導入する動機付けは、ＵＥ消費電力を削減することであるという観点から、ページング受信のためのウェイクアップの周期／回数は、最小化されるべきである。現行の仕様では、ＵＥは、ＤＲＸサイクル１つ当たりに１つのＰＯを監視することだけが必要である。ｅＤＲＸを用いるアイドルモードに対しても、同じ原理が電力削減メリットを最大化するために適用されるべきであるが、ページングメッセージは、一定のウィンドウに繰り返される可能性がある。たとえば、ウィンドウに１０．２４［秒］が設定され、ｄｅｆａｕｌｔＰａｇｉｎｇＣｙｃｌｅがｒｆ２５６を用いて設定された場合、ウィンドウの範囲内のページングオケージョンの回数は、４回であり、すなわち、ｅＮＢは、Ｓ１  ＰＡＧＩＮＧが予め受信された場合、ページングメッセージ送信を４回繰り返すことがある。ＵＥの観点から、ウィンドウの範囲内で１度だけ、すなわち、ページングオケージョンのただ１つのサブフレームにおいてウェイクアップすれば足りるべきである。ページングがページングオケージョンに送信／受信されない場合、ＵＥは、単一のページングオケージョンの直後にスリープに入ることがある。ページングメッセージの受信に成功するためにＲＡＮと再同期する時／方法は、ＵＥ実装次第でなくてはならない。
【０３００】
提案４：  ＵＥは、拡張スリープからウェイクアップしたとき、拡張ＤＲＸサイクル１つ当たり一定のウィンドウの範囲内で１つのレガシーページングオケージョンを監視することだけが要求されるべきである。
【０３０１】
ページング繰り返しの回数に関して、ＵＥの最大時間ドリフトは、拡張ＤＲＸサイクルが１時間であると仮定されるとしても、クロックドリフトが５０［ｐｐｍ］である１８０［ミリ秒］、すなわち、１８無線フレームであることが指摘されている。これは、それでもなお、ｄｅｆａｕｌｔＰａｇｉｎｇＣｙｃｌｅの最小値、すなわち、ｒｆ３２の範囲内である。従って、ページングメッセージがＵＥにおいて最悪状況の時間ドリフトを取り扱うために少なくとも１回のページングオケージョンにおいて繰り返される。
【０３０２】
見解１：  ｅＤＲＸサイクルが１時間であるＵＥのクロックドリフトは、少なくとも１つのページングオケージョンにおいてページングメッセージの繰り返しによって許容できる。
【０３０３】
しかしながら、ｅＮＢ群の間のＳＦＮのずれ、Ｓ１インターフェイスのレイテンシ、ＳＩスケジューリングなどのような他の要因がページング信頼度に潜在的に影響を与えることがある。これらの要因は、ＵＥによって説明できないので、ＮＷは、これを考慮に入れ、たとえば、ページング繰り返しの回数を増加することによって、もしくは、オフセットをページングスタートに適用することによって、ＵＥがウェイクアップしたとき、ＵＥのページング受信を促進すべきである。
【０３０４】
提案５：  ＮＷは、十分なページング信頼度を確保するためにページングオケージョン／繰り返しをＵＥのウェイクアップタイミングに調整すべきである。
【０３０５】
合意可能である場合、ＵＥは、該当するページングオケージョンが出現すると考えるときにウェイクアップすることだけが必要である。従って、ＵＥは、ウィンドウについて知らされる必要がない。
【０３０６】
提案６：  ＵＥは、ページングメッセージが繰り返されることがあるウィンドウに気付く必要がない。
【０３０７】
２．２．２．  Ｈ−ＳＦＮ  ＰＦ決定
Ｈ−ＳＦＮに基づくページングの概要は提案済みであり、このページングは、ページングＨ−ＳＦＮフレーム（ＰＨ）を決定する方法に関して、レガシーＰＦと比較すると、概念的に同じメカニズムであると考えられ得る。レガシーＰＦ／ＰＯがＰＨの範囲内で再使用されることを考慮すると、ＰＨを決定する計算式は、別に定義されるべきである。
【０３０８】
提案７：  ページングＨ−ＳＦＮフレームを決定する計算式は、レガシーＰＦ／ＰＯ計算とは別に定義されるべきである。
【０３０９】
レガシーＰＦ計算式
「ＳＦＮ  ｍｏｄ  Ｔ＝（Ｔ  ｄｉｖ  Ｎ）＊（ＵＥ＿ＩＤ  ｍｏｄ  Ｎ）」に基づいて、ほとんど全てのパラメータがわずかな再定義を用いてＰＨに対する計算式に適用できる可能性がある。しかし、ページング容量を制御するためにｎＢに関連付けられているＮは、もはや必要ではない、と考えるべきである。従って、ＰＨは、単に次式：
Ｈ−ＳＦＮ  ｍｏｄ  ＴｅＤＲＸ  ＝  ＩＭＳＩ  ｍｏｄ  ＴｅＤＲＸ
によって決定され、式中、
Ｈ−ＳＦＮ：ページングＨ−ＳＦＮフレーム番号
ＴｅＤＲＸ：ｅＤＲＸサイクル［Ｈ−ＳＦＮ］；ここで、ＴｅＤＲＸは、１０．２４［秒］の倍数として定義されることに注意すべきである。
【０３１０】
ＰＨが決定されると、レガシーＰＦ／ＰＯ計算は、実際のページングオケージョンを識別するために使用される。
【０３１１】
提案８：  ページングＨ−ＳＦＮフレームは、ｎＢをサポートすることなくレガシーＰＦ計算式を再使用する計算式によって決定されるべきである。
【０３１２】
［付記３］
１．  はじめに
第９１の２回ＲＡＮ２では、アイドルモードｅＤＲＸの詳細が話し合われ、以下のとおり合意に達した：
合意：
アイドルモードｅＤＲＸ
−レガシーＳＦＮ構造に加えて新しいフレーム構造として、各Ｈ−ＳＦＮ値が１０２４フレームであるレガシーＳＦＮのサイクルに一致するＨ−ＳＦＮを定義すること。
【０３１３】
−ＳＦＮを指示する１０ビットであるＨ−ＳＦＮサイクルが、将来の保証のため、採用されるであろう。
【０３１４】
−最大Ｉ−ｅＤＲＸサイクルは、４３．６９分である。
【０３１５】
−２のべき乗（２ｎ）である数としてＩ−ｅＤＲＸサイクルの範囲を定義すること。
【０３１６】
−ＲＡＮ２は、ｅＤＲＸが設定されているとき、ＥＴＷＳ、ＣＭＡＳ、ＰＷＳ要件が満たされ得ない、と考える。要件を満たすために最適化することはないであろう。
【０３１７】
−ＥＡＢに対して、Ｉ−ｅＤＲＸにあるとき、ＵＥがＳＩＢ１４をサポートする場合、ＵＥは、ＲＲＣ接続を確立する前にＳＩＢ１４を獲得する。
【０３１８】
−ＳＩＢ１においてＨ−ＳＦＮを規定すること。ＭＩＢの中の貴重なビットが使用できるか否かは、将来の研究課題である。
【０３１９】
−ｅＮＢ毎にデフォルトＩ−ｅＤＲＸを定義しないこと；Ｈ−ＳＦＮの組み入れを通して暗黙的なＩ−ｅＤＲＸサポート指示をサポートすること。
【０３２０】
−ページングハイパーフレーム（ＰＨ）計算は、拡張Ｉ−ＤＲＸサイクルおよびＩＭＳＩ  ｍｏｄ（１０２４）の関数であるべきである。ＲＡＮ２は、ＳＡ２がこの計算式に基づいてＭＭＥページング戦略の詳細に取り組むことを仮定する。
【０３２１】
−ウィンドウの開始点は、Ｈ−ＳＦＮページングフレームの範囲内に公正な配分があるように設計される。計算式の詳細は、将来の研究課題である。
【０３２２】
−どのように誰がＰＷを設定するかは、将来の研究課題である。
【０３２３】
−ＵＥがページングウィンドウの間にレガシー（ＰＦ、ＰＯ）の一方を監視することだけが必要であるか、または、ＵＥがページングウィンドウ全体を監視するか否かは、将来の研究課題である。
【０３２４】
本付記では、アイドルモードｅＤＲＸのさらなる詳細が、ＵＥ挙動の観点から考察される。
【０３２５】
２．  考察
２．１．  ｅＤＲＸの設定
ＳＡ２における技術報告書によれば、ＮＡＳ  ＭＭメッセージは、アイドルモードｅＤＲＸ値割り当てのため、すなわち、ＮＡＳ  ＭＭメッセージを使用する拡張ＤＲＸ値割り当てのため使用される、と結論付けられた。加えて、「ｅＮＢ毎にデフォルトＩ−ｅＤＲＸサイクル値を定義しない」、と第９１の２回ＲＡＮ２において合意した。ＵＥ挙動の観点から、ＵＥは、ＮＡＳによってＡＳにアイドルモードｅＤＲＸ値が割り当てられたとき、ページング受信プロシージャにアイドルモードｅＤＲＸ動作を適用すべきである。
【０３２６】
提案１：  アイドルモードＵＥは、ＮＡＳによってＡＳに拡張ＤＲＸ値が割り当てられたとき、ページング受信プロシージャに拡張ＤＲＸを適用すべきである。
【０３２７】
ｅＤＲＸを用いる実際の動作では、ＵＥは、ウェイクアップしたとき、レガシーＤＲＸ計算式／サイクルに基づいてＰＦ／ＰＯを決定することが必要である。従って、ＵＥは、拡張ＤＲＸ値に加えて、レガシーＤＲＸパラメータを知っているべきである。現行の仕様では、特に、ＤＲＸサイクルのためのレガシーＤＲＸパラメータは、ＮＡＳもしくはｅＮＢのいずれかによって設定されることがあり得るとともに、Ｔは、最短のＤＲＸサイクルによって決定される。ＣＮ固有ＤＲＸサイクルが単に拡張ＤＲＸサイクルを設けるためだけに拡張されることを仮定することは、当然であるが、実際には、ＣＮ固有ＤＲＸサイクルがどのように定義されるべきであるかは、他の作業部会次第であるので、他の作業部会の仕様に変更が適用された場合に、現行のアイドルモード仕様がそれでもなおうまく機能するか否かは、不明確である。他方では、レガシーＰＦ／ＰＯが合意のとおりページング信頼度を改善するためにページングメッセージの繰り返しのため使用される、と仮定すると、レガシーＰＦ／ＰＯを決定するために使用されるレガシーＤＲＸパラメータは、ＲＡＮ固有設定であると見なされることがあり得る。従って、レガシーＰＦ／ＰＯの決定のため、ＵＥは、ＳＩＢの中に設けられたＤＲＸパラメータ、すなわち、ｐｃｃｈ−Ｃｏｎｆｉｇだけを使用すべきである。換言すれば、仕様は、ＭＭＥによって供給された（拡張）ＤＲＸパラメータがレガシーＰＦ／ＰＯ計算のため無視されるべきであり、拡張ＤＲＸ固有プロシージャに限り考慮されるべきであることを保証するように定義されるべきである。この仮定は、ＭＭＥがＣＮ固有ＤＲＸサイクルとして拡張ＤＲＸサイクルだけを供給する場合、現行の仕様と矛盾しない。
【０３２８】
提案２：  拡張ＤＲＸが適用された場合、レガシーＰＦ／ＰＯは、ＭＭＥによって何らかの設定が供給されるか否かとは無関係に、ＳＩＢの中に設けられたＰＣＣＨ設定を用いて計算されるべきである。
【０３２９】
依然として「どのように誰がＰＷを設定するかは、将来の研究課題である。ＰＷは、主として、本リリースにおいてｅＮＢ群の間の同期を説明することを目指しているが、ＵＥクロックドリフトは、「ＳＦＮを指示する１０ビットであるＨ−ＳＦＮサイクルが、将来の保証のため、採用されるであろう」と合意し、１０ビットＨ−ＳＦＮ（約３時間）のためのＰＷは、ＵＥクロックドリフトの５４０［ミリ秒］（５４ＳＦＮ）を占めなければならないので、将来のリリースにおいても考慮すべきである。ページング繰り返しが再同期の間のＵＥクロックドリフト、および、セル間の潜在的なＨ−ＳＦＮ同期外れの補正のため機能するものであることを考慮すると、ＭＭＥは、ＵＥおよびｅＮＢの両方における同期性能が分かっていることが期待されるので、ＭＭＥがページング繰り返しウィンドウ（ＰＷ）を設定することは、将来の保証の仮定である。ＭＭＥは、他のＷＧの責任で決定されるであろうＳ１  ＰＡＧＩＮＧメッセージを介して、ＵＥ１台当たりに設定されたＰＷをｅＮＢに知らせることがある。
【０３３０】
提案３：  ＭＭＥは、ページングウィンドウ（ＰＷ）を設定すべきである。
【０３３１】
２．２．  ｅＤＲＸに入る条件／ｅＤＲＸから出る条件
「Ｈ−ＳＦＮの組み入れを通して暗黙的なＩ−ｅＤＲＸサポート指示をサポートすること」が話し合われ、合意したが、どんなＵＥ挙動が期待されるかについての詳細は、未だ話し合われていない。この合意は、セルがＨ−ＳＦＮをブロードキャストするか否かによって、セルがｅＤＲＸをサポートするか否かについてＵＥが知ることができることを意味する。２つの事例は、セルがｅＤＲＸをサポートしていないことをＵＥがどのようにして検出するかを目的として考慮されることがある。
【０３３２】
事例１：ＵＥがｅＤＲＸからウェイクアップした直後。
【０３３３】
事例２：ＵＥがｅＤＲＸまでスリープに入る直前。
【０３３４】
両方の事例に対して、Ｈ−ＳＦＮがブロードキャストされていないので、すなわち、ＵＥは、このＵＥがどちらのＨ−ＳＦＮに合わされることになっているか分からないので、ＵＥは、Ｈ−ＳＦＮと同期することができない。加えて、事例２では、ＵＥは、ＵＥが次の時点でウェイクアップしたときに、Ｈ−ＳＦＮがブロードキャストされることを期待できない。従って、ＵＥは、このＵＥがｅＤＲＸからウェイクアップするとき／ｅＤＲＸまでスリープに入るとき、Ｈ−ＳＦＮの可用性をチェックすべきである。
【０３３５】
提案４：  ＵＥは、このＵＥがｅＤＲＸからウェイクアップした後、および、ｅＤＲＸまでスリープに入る前に、Ｈ−ＳＦＮがブロードキャストされたか否かをチェックすべきである。
【０３３６】
ＵＥがサービングセルはＨ−ＳＦＮをブロードキャストしないことを検出した場合、ＵＥがレガシーＤＲＸ動作に戻ること、すなわち、ｅＤＲＸを適用しないことは容易である。このことは、Ｈ−ＳＦＮ同期がなくてもＵＥがページを見落とすことがないことを保証するであろう。
【０３３７】
提案５：  ＵＥは、サービングセルからブロードキャストされたＨ−ＳＦＮを検出しないとき、ｅＤＲＸ動作を適用すべきではなく、すなわち、単にレガシーＤＲＸに従うべきである。
【０３３８】
しかしながら、提案５は、ＵＥがｅＤＲＸからの電力節約メリットを取得することはもはや期待され得ないことを意味する。加えて、ＵＥがレガシーＤＲＸ動作に戻るにもかかわらず、ＭＭＥがｅＤＲＸのためのページング戦略を適用し続けることがあるので、すなわち、「ページングメッセージの記憶を回避することは、ＵＥが連絡可能になるおおよその時間をＭＭＥがある程度認識することを要求するであろう。これがどのようにして達成されるかは、ＳＡ２次第である」という合意に基づいて、ページングメッセージは、一定の長期間に亘ってＭＭＥによってもたらされない。従って、消費電力を節約するために、ｅＤＲＸをサポートしていないセル内のＵＥが、ｅＤＲＸの代わりに、できるだけ早くＭＭＥによって電力節約モード（ＰＳＭ）を用いて設定されることが有益である。
【０３３９】
見解１：  ＵＥができるだけ早くＰＳＭを用いて再設定されるようにｅＤＲＸ動作を適用できないことが有益である。
【０３４０】
ＡＳの観点から、ＵＥがサービングセルのＳＩＢ１においてＨ−ＳＦＮを検出しないとき、ＮＡＳは、ｅＤＲＸからＰＳＭに設定を変更するように上位層を支援するためにこの条件について知らされるべきである。同様に、ＡＳは、ＰＳＭからｅＤＲＸに再設定する決定を行う際に上位層を支援することがある。
【０３４１】
提案６：  ＡＳは、ＵＥがｅＤＲＸを用いて（そして、おそらくＰＳＭを用いて）設定されているとき、現在キャンプ状態であるセルがｅＤＲＸをサポートするか否かをＮＡＳに知らせるべきである。
【０３４２】
２．３．  ページング受信プロシージャ
２．３．１  レガシーＰＦ／ＰＯ関連動作
現在のところ、「ＵＥがページングウィンドウの間にレガシー（ＰＦ、ＰＯ）の一方を監視することだけが必要であるか、または、ＵＥがページングウィンドウ全体を監視するか否か」は、将来の研究課題である。ｅＤＲＸを導入する動機付けは、ＵＥ消費電力を削減することである、という観点から、ページング受信のためのウェイクアップの周期／回数は、最小化されるべきである。現行の仕様では、ＤＲＸサイクル１つ当たりに１つのＰＯを監視することだけが必要である。ｅＤＲＸを用いるアイドルモードであっても、同じ原理が電力削減メリットを最大化するために適用されるべきであるが、ページングメッセージは、一定のウィンドウに対して繰り返される可能性がある。
【０３４３】
提案７：  ＵＥは、拡張スリープからウェイクアップしたとき、拡張ＤＲＸサイクル１つ当たりに一定のウィンドウの範囲内で１つのレガシーページングオケージョンだけを監視することが要求されるべきである。
【０３４４】
２．３．２．  Ｈ−ＳＦＮ  ＰＦ決定
「ページングハイパーフレーム（ＰＨ）計算は、拡張Ｉ−ＤＲＸサイクルおよびＩＭＳＩ  ｍｏｄ  （１０２４）の関数であるべきである。ＲＡＮ２は、ＳＡ２がこの計算式に基づいてＭＭＥページング戦略の詳細に取り組むことを仮定する。」と合意した。レガシーＰＦ／ＰＯがＰＨの範囲内で再使用されることを考慮すると、ＰＨを決定する計算式は、別に定義されるべきである。
【０３４５】
提案８：  ページング・ハイパー・フレーム（ＰＨ）を決定する計算式は、レガシーＰＦ／ＰＯ計算とは別に定義されるべきである。
【０３４６】
レガシーＰＦ計算式「ＳＦＮ  ｍｏｄ  Ｔ＝（Ｔ  ｄｉｖ  Ｎ）＊（ＵＥ＿ＩＤ  ｍｏｄ  Ｎ）」に基づいて、ほとんど全てのパラメータがわずかな再定義を用いてＰＨに対する計算式に適用できる可能性がある。しかし、ページング容量を制御するためにｎＢに関連付けられているＮは、もはや必要ではない、と考えるべきである。従って、ＰＨは、単に次式：
Ｈ−ＳＦＮ  ｍｏｄ  ＴｅＤＲＸ  ＝  （ＩＭＳＩ  ｍｏｄ  １０２４）  ｍｏｄ  ＴｅＤＲＸ
によって決定され、式中、
Ｈ−ＳＦＮ：ページングＨ−ＳＦＮフレーム番号
ＴｅＤＲＸ：ｅＤＲＸサイクル［Ｈ−ＳＦＮ］；ここで、ＴｅＤＲＸは、１０．２４［秒］の倍数として定義されることに注意すべきである。
【０３４７】
ＰＨが決定されると、レガシーＰＦ／ＰＯ計算は、実際のページングオケージョンを識別するために使用される。
【０３４８】
提案９：  ページングＨ−ＳＦＮフレームは、ｎＢをサポートすることなくレガシーＰＦ計算式を再使用することによって決定されるべきである。
【０３４９】
［相互参照］
米国仮出願第６２／２０３６５０号（２０１５年８月１１日出願）、米国仮出願第６２／２２２８８８号（２０１５年９月２４日出願）、及び米国仮出願６２／２５１４３０号（２０１５年１１月５日出願）の全内容が参照により本願明細書に組み込まれている。
【産業上の利用可能性】
【０３５０】
本発明は、通信分野において有用である。
【図１】
2017026188.tif 000005
【図２】
2017026188.tif 000006
【図３】
2017026188.tif 000007
【図４】
2017026188.tif 000008
【図５】
2017026188.tif 000009
【図６】
2017026188.tif 000010
【図７】
2017026188.tif 000011
【図８】
2017026188.tif 000012
【図９】
2017026188.tif 000013
【図１０】
2017026188.tif 000014
【図１１】
2017026188.tif 000015
【図１２】
2017026188.tif 000016
【図１３】
2017026188.tif 000017
【図１４】
2017026188.tif 000018
【図１５】
2017026188.tif 000019
【図１６】
2017026188.tif 000020
【図１７】
2017026188.tif 000021
【図１８】
2017026188.tif 000022
【図１９】
2017026188.tif 000023
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
モビリティ管理装置から自無線端末にアイドルモード拡張ＤＲＸが設定された後、基地局からシステム情報ブロックを受信する処理を行う無線端末を備え、
前記アイドルモード拡張ＤＲＸに対応している場合、前記システム情報ブロックは、前記基地局が前記アイドルモード拡張ＤＲＸに対応していることを示す情報を含み、
前記無線端末は、前記基地局が前記アイドルモード拡張ＤＲＸに対応していない場合、前記モビリティ管理装置から自無線端末に設定されている前記アイドルモード拡張ＤＲＸの動作を中止する
移動通信システム。
【請求項２】
前記基地局は、前記無線端末のページングに用いるページングメッセージを前記モビリティ管理装置から受信し、
前記ページングメッセージは、アイドルモード非拡張ＤＲＸ用の第１のフィールドと、前記アイドルモード拡張ＤＲＸ用の第２のフィールドと、を含み、
前記第２のフィールドは、前記アイドルモード拡張ＤＲＸのＤＲＸサイクルを示す情報と、前記ページングを繰り返し送信する期間であるページング時間ウィンドウを示す情報と、を含み、
前記基地局は、前記アイドルモード拡張ＤＲＸのＤＲＸサイクルを示す情報が前記第２のフィールドに含まれている場合、前記無線端末に前記アイドルモード拡張ＤＲＸが設定されていると判断する
請求項１に記載の移動通信システム。
【請求項３】
前記基地局は、前記ページング時間ウィンドウに基づいて前記ページングを繰り返し送信する
請求項２に記載の移動通信システム。
【請求項４】
前記モビリティ管理装置は、前記無線端末のページングに用いるページングメッセージを前記基地局に送信し、
前記ページングメッセージは、アイドルモード非拡張ＤＲＸ用の第１のフィールドと、前記アイドルモード拡張ＤＲＸ用の第２のフィールドと、を含み、
前記モビリティ管理装置は、前記無線端末に前記アイドルモード拡張ＤＲＸが設定されている場合、前記アイドルモード拡張ＤＲＸのＤＲＸサイクルを示す情報と、前記ページングを繰り返し送信する期間であるページング時間ウィンドウを示す情報と、を前記第２のフィールドに含める
請求項１〜３のいずれか一項に記載の移動通信システム。
【請求項５】
前記無線端末は、前記アイドルモード拡張ＤＲＸが自無線端末に設定された後、自無線端末のページングオケージョンを含む無線フレームであるページングフレームを決定し、前記ページングフレームの中から所定のサブフレームを前記ページングオケージョンとして決定する制御部を備え、
前記制御部は、それぞれ所定数の無線フレームを含む複数のハイパーフレームの中から、前記ページングフレームを含むハイパーフレームであるページングハイパーフレームを決定し、
前記制御部は、前記ページングフレームの決定に用いる第１の計算式及び前記ページングオケージョンの決定に用いる第２の計算式とは別に規定された第３の計算式を用いて、前記ページングハイパーフレームを決定し、
前記ページングハイパーフレームのハイパーフレーム番号を「Ｈ−ＳＦＮ」で示し、前記拡張ＤＲＸサイクルに相当するハイパーフレーム数を「ＴｅＤＲＸ」で示し、自無線端末に固有の値に基づく値を「α」で示す場合、前記第３の計算式は、
Ｈ−ＳＦＮ  ｍｏｄ  ＴｅＤＲＸ＝  α  ｍｏｄ  ＴｅＤＲＸ
である
請求項１〜４のいずれか一項に記載の移動通信システム。
【請求項６】
前記第１の計算式及び前記第２の計算式には、前記基地局からシステム情報により提供されるＤＲＸパラメータが適用され、
前記第３の計算式には、前記ＤＲＸパラメータが適用されずに、前記ＤＲＸパラメータとは異なる所定のパラメータが適用される
請求項５に記載の移動通信システム。
【請求項７】
前記所定のパラメータは、前記モビリティ管理装置から提供される拡張ＤＲＸサイクルを含む
請求項６に記載の移動通信システム。
【請求項８】
前記固有の値は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である
請求項５〜７のいずれか一項に記載の移動通信システム。
【請求項９】
前記無線端末は、自無線端末がコネクティッドモードに遷移した後において、自無線端末の通信データが存在しないことを確認した場合に、自無線端末と前記基地局との間の接続を解放するための情報を前記基地局に送信する
請求項１〜８のいずれか一項に記載の移動通信システム。
【国際調査報告】
2017026188.tif 000024
2017026188.tif 000025
2017026188.tif 000026
2017026188.tif 000027
2017026188.tif 000028
2017026188.tif 000029
2017026188.tif 000030
2017026188.tif 000031
2017026188.tif 000032
2017026188.tif 000033